(57)【要約】  膣鏡とともに用いる照明アセンブリは、少なくとも１つのＬＥＤまたは白熱ランプなどの光源を有するアセンブリ筐体を含む。照明アセンブリは、バッテリで電力を供給されるかまたはＡＣ電源などの専用電源によって電力を供給されてもよく、膣鏡のハンドル部の受け入れ用空洞内で嵌合されるように構成されている。
2009515561.tif 000002
【特許請求の範囲】
【請求項１】
膣鏡とともに用いる照明アセンブリであって、
筐体と、
前記筐体に収容される光源と、
前記収容される光源に電力を供給する少なくとも１つのバッテリを収容する手段と、
を含み、
前記照明アセンブリの少なくとも一部は、膣鏡のハンドル部の受け入れ用空洞内で嵌合するようになされていることを特徴とする照明アセンブリ。
【請求項２】
前記光源は、少なくとも１つのＬＥＤを含むことを特徴とする請求項１記載の照明アセンブリ。
【請求項３】
前記少なくとも１つのＬＥＤは、白色ＬＥＤを含むことを特徴とする請求項２記載の照明アセンブリ。
【請求項４】
前記光源は、少なくとも１つの白熱ランプを含むことを特徴とする請求項１記載の照明アセンブリ。
【請求項５】
少なくとも１つの前記バッテリを収容する前記手段は、前記筐体内に設けられることを特徴とする請求項１記載の照明アセンブリ。
【請求項６】
少なくとも１つの前記バッテリは、再充電可能であることを特徴とする請求項５記載の照明アセンブリ。
【請求項７】
前記筐体の底面に配置された一組の充電接点を含む請求項６記載の照明アセンブリ。
【請求項８】
少なくとも１つの前記バッテリを収容する前記手段は、前記筐体に電気的かつ機械的に接続されていることを特徴とする請求項１記載の照明アセンブリ。
【請求項９】
少なくとも１つの前記バッテリを収容する前記手段は、前記筐体の一端で機械的かつ電気的に取り付けられた本体端部を有する電力アダプタを含むことを特徴とする請求項８記載の照明アセンブリ。
【請求項１０】
少なくとも１つの前記バッテリを収容する前記手段は、前記筐体にケーブルで繋索されている電力アダプタを含むことを特徴とする請求項８記載の照明アセンブリ。
【請求項１１】
前記光源に選択的に通電するスイッチ機構を含む請求項１記載の照明アセンブリ。
【請求項１２】
前記スイッチ機構は、前記筐体の外部に形成されたその一部を有するスイッチ部材を含むことを特徴とする請求項１１記載の照明アセンブリ。
【請求項１３】
前記スイッチ部材は、オフ位置においてバイアスをかけられることを特徴とする請求項１２記載の照明アセンブリ。
【請求項１４】
前記スイッチ部材は、ユーザによって選択的に係止されてもよいことを特徴とする請求項１２記載の照明アセンブリ。
【請求項１５】
前記スイッチ機構は、前記スイッチ部材が係止位置へ移動されると係合される戻り止めピンを含むことを特徴とする請求項１４記載の照明アセンブリ。
【請求項１６】
低バッテリ電力インジケータを含む請求項６記載の照明アセンブリ。
【請求項１７】
受け入れ用空洞の内部と実質的に密着嵌合に置かれるように用いられる外部エンベロープと、前記筐体がそこで係合されることを可能にするよう構成されている内部エンベロープとを含み、前記筐体に取り付け可能な膣鏡アダプタを含むことを特徴とする請求項１記載の照明アセンブリ。
【請求項１８】
前記膣鏡アダプタは、前記照明アセンブリの主軸に対して少なくとも１つ以上の回転方向において前記筐体を収容するように構成されていることを特徴とする請求項１７記載の照明アセンブリ。
【請求項１９】
前記膣鏡アダプタの一部は、相変化材料を含むことを特徴とする請求項１７記載の照明アセンブリ。
【請求項２０】
前記筐体はベース部を含むことを特徴とする請求項１記載の照明アセンブリ。
【請求項２１】
バッテリ筐体及び照明源筐体を含み、前記バッテリ筐体及び前記照明源筐体の各々は前記ベース部上で平行な関係に配置されていることを特徴とする請求項２０記載の照明アセンブリ。
【請求項２２】
前記ベース部は実質的に均一な断面を有していて、前記断面は前記アセンブリ筐体の残りの部分の断面より大きく、前記ベース部は膣鏡の受け入れ用空洞にとりつけられると膣鏡の受け入れ用空洞から延伸するよう構成されていることを特徴とする請求項２０記載の照明アセンブリ。
【請求項２３】
前記ベース部は、約０．５から１．５インチの長さであることを特徴とする請求項２２記載の照明アセンブリ。
【請求項２４】
前記ベース部に取り付け可能な可撓性さや部材を含む請求項２２記載の照明アセンブリ。
【請求項２５】
前記さや部材は、前記ベース部と実質的に合致して係合することを特徴とする請求項２４記載の照明アセンブリ。
【請求項２６】
前記ベース部から前記さや部材の選択的な解放を可能にする脆弱な開封帯を含むことを特徴とする請求項２４記載の照明アセンブリ。
【請求項２７】
前記アセンブリによって生成される熱を放散する手段を含むことを特徴とする請求項１記載の照明アセンブリ。
【請求項２８】
前記筐体は、相変化材料を少なくとも部分的に含むことを特徴とする請求項２７記載の照明アセンブリ。
【請求項２９】
前記筐体内に配置されるヒートシンクを含むことを特徴とする請求項２７記載の照明アセンブリ。
【請求項３０】
前記照明アセンブリから照明を向けるために前記光源に関係して配置された少なくとも１つのレンズを含むことを特徴とする請求項１記載の照明アセンブリ。
【請求項３１】
少なくとも１つの前記レンズは、前記膣鏡への前記光源の光学的接続を可能にするように構成されていることを特徴とする請求項３０記載の照明アセンブリ。
【請求項３２】
前記照明アセンブリは、診察用照明として独立して用いられてもよいことを特徴とする請求項１２記載の照明アセンブリ。
【請求項３３】
前記スイッチ部材は、ユーザによって選択的に係止されてもよいことを特徴とする請求項３２記載の照明アセンブリ。
【請求項３４】
前記スイッチ機構は、前記スイッチ部材が係止位置へ移動されると係合される戻り止めピンを含むことを特徴とする請求項３３記載の照明アセンブリ。
【請求項３５】
膣鏡の受け入れ用空洞内で保持を可能にするよう構成された少なくとも１つの機構を含むことを特徴とする請求項１記載の照明アセンブリ。
【請求項３６】
前記筐体が膣鏡の受け入れ用空洞内へ少なくとも予め定められた距離を嵌入されると、前記アセンブリは前記光源に自動的に通電するように構成されていることを特徴とする請求項１記載の照明アセンブリ。
【請求項３７】
前記アセンブリは、前記受け入れ用空洞の主軸に対して、受け入れ用空洞内で前記照明アセンブリの少なくとも１つ以上の回転方向において、前記光源に自動的に通電するように構成されていることを特徴とする請求項３６記載の照明アセンブリ。
【請求項３８】
前記アセンブリは、第１回転方向及び第２回転方向に配置され、前記回転方向の各々は、互いに１８０度の間隔をおかれていることを特徴とする請求項３７記載の照明アセンブリ。
【請求項３９】
前記光源を補助電源に選択的に相互接続する手段を含む請求項１記載の照明アセンブリ。
【請求項４０】
前記補助電源は、移動式電源であることを特徴とする請求項３９記載の照明アセンブリ。
【請求項４１】
前記補助電源は、非移動式電源であることを特徴とする請求項３９記載の照明アセンブリ。
【請求項４２】
前記光源によって生成される照明地点の均一性を調整する手段を含むことを特徴とする請求項１記載の照明アセンブリ。
【請求項４３】
前記光源によって生成される照明の出力を調整する手段を含む請求項１記載の照明アセンブリ。
【請求項４４】
前記照明の出力を調整する手段は、前記筐体の上端に配置された少なくとも１つの光学的要素を含むことを特徴とする請求項４３記載の照明アセンブリ。
【請求項４５】
前記少なくとも１つの光学的要素は、前記光源からの光を指向させるプリズム部材を含み、前記筐体は、膣鏡の受け入れ用空洞内で軸方向に移動自在であることを特徴とする請求項４４記載の照明アセンブリ。
【請求項４６】
前記光源によって発射される照明の色を調整する手段を含む請求項１記載の照明アセンブリ。
【請求項４７】
前記筐体の前記残りの部分の断面は、膣鏡の受け入れ用空洞の内部と実質的に密着嵌合を設ける大きさであることを特徴とする請求項２２記載の照明アセンブリ。
【請求項４８】
膣鏡とともに用いる照明アセンブリであって、
筐体と、
前記アセンブリ筐体に含まれる少なくとも１つのＬＥＤと、
を含み、
前記筐体の少なくとも一部は膣鏡のハンドル部の受け入れ用空洞内に配置されるよう用いられることを特徴とする照明アセンブリ。
【請求項４９】
前記少なくとも１つのＬＥＤは、少なくとも１つのバッテリによって電力を供給されることを特徴とする請求項４８記載の照明アセンブリ。
【請求項５０】
前記少なくとも１つのＬＥＤは、ＡＣ電源によって電力を供給されることを特徴とする請求項４８記載の照明アセンブリ。
【請求項５１】
前記少なくとも１つのＬＥＤは、白色ＬＥＤを含むことを特徴とする請求項４８記載の照明アセンブリ。
【請求項５２】
少なくとも１つの前記バッテリを収容する手段を含む請求項４９記載の照明アセンブリ。
【請求項５３】
少なくとも１つの前記バッテリを収容する前記手段は、前記筐体内に設けられることを特徴とする請求項５２載の照明アセンブリ。
【請求項５４】
少なくとも１つの前記バッテリを収容する前記手段は、前記筐体に機械的にかつ電気的に接続されていることを特徴とする請求項５２載の照明アセンブリ。
【請求項５５】
少なくとも１つの前記バッテリを収容する前記手段は、一端において前記筐体に機械的にかつ電気的に取り付けられた本体を有する電力アダプタを含むことを特徴とする請求項５４記載の照明アセンブリ。
【請求項５６】
少なくとも１つの前記バッテリを収容する前記手段は、前記筐体にケーブルで繋索されている電力アダプタを含むことを特徴とする請求項５４記載の照明アセンブリ。
【請求項５７】
少なくとも１つの前記ＬＥＤを選択的に通電するスイッチ機構を含む請求項４８記載の照明アセンブリ。
【請求項５８】
前記スイッチ機構は、前記アセンブリ筐体の外部に形成されたその一部を有するスイッチ部材を含むことを特徴とする請求項５７記載の照明アセンブリ。
【請求項５９】
前記スイッチ部材は、オフ位置においてバイアスをかけられることを特徴とする請求項５８記載の照明アセンブリ。
【請求項６０】
前記スイッチ部材は、それに対する手動操作によって係止位置に選択的に移動自在であることを特徴とする請求項５９記載の照明アセンブリ。
【請求項６１】
前記スイッチ機構は、前記部材が前記係止位置へ移動されると、前記スイッチ部材を係合する戻り止めピンを含むことを特徴とする請求項６０記載の照明アセンブリ。
【請求項６２】
前記アセンブリによって生成される熱を放散する手段を含む請求項４８記載の照明アセンブリ。
【請求項６３】
前記熱を放散する手段は、前記筐体内に配置されるヒートシンクを含むことを特徴とする請求項６２記載の照明アセンブリ。
【請求項６４】
前記筐体の少なくとも一部は、相変化材料を含むことを特徴とする請求項６２記載の照明アセンブリ。
【請求項６５】
前記筐体は、ＡＣ電源に繋索されていることを特徴とする請求項５０記載の照明アセンブリ。
【請求項６６】
少なくとも１つの前記ＬＥＤは、１ワットで最小２０ルーメン／ワットの出力を有し、少なくとも１０００時間の最短寿命を有することを特徴とする請求項４８載の照明アセンブリ。
【請求項６７】
少なくとも１つの前記バッテリは、再充電可能であることを特徴とする請求項４９記載の照明アセンブリ。
【請求項６８】
低バッテリ出力インジケータを含む請求項６７記載の照明アセンブリ。
【請求項６９】
前記筐体の底面に配置された複数の充電接点を含む請求項６７記載の照明アセンブリ。
【請求項７０】
膣鏡の受け入れ用空洞の内部との実質的な密着嵌合を維持するように構成された外部エンベロープと、そこで前記筐体を収容するように構成された内部エンベロープとを含み、かつ前記筐体に取り付け可能な膣鏡アダプタを含むことを特徴とする請求項４８記載の照明アセンブリ。
【請求項７１】
前記膣鏡アダプタの内部エンベロープは、前記筐体が、前記照明アセンブリの主軸に対して少なくとも１つ以上の回転方向に嵌合されることを可能にすることを特徴とする請求項７０載の照明アセンブリ。
【請求項７２】
前記膣鏡アダプタは、前記第１回転方向及び第２回転方向において前記筐体を収容し、前記第１及び第２回転方向の各々は互いに１８０度の間隔をおかれていることを特徴とする請求項７１記載の照明アセンブリ。
【請求項７３】
前記アセンブリはベース部を含むことを特徴とする請求項４８記載の照明アセンブリ。
【請求項７４】
バッテリ筐体及び照明源筐体を含み、前記バッテリ筐体及び前記照明源筐体の各々は前記ベース部上でかつ前記ベース部の同じ側で平行な関係に配置されていることを特徴とする請求項７３記載の照明アセンブリ。
【請求項７５】
前記ベース部は実質的に均一な断面を有していて、前記断面は前記アセンブリ筐体の残りの部分の断面より大きくかつ、前記ベース部は、そこに取り付けられると膣鏡の受け入れ用空洞から延伸するよう構成されていることを特徴とする請求項７３記載の照明アセンブリ。
【請求項７６】
前記ベース部は、約０．５から１．５インチの長さであることを特徴とする請求項７５記載の照明アセンブリ。
【請求項７７】
前記ベース部に取り付け可能な可撓性さや部材を含むことを特徴とする請求項７５記載の照明アセンブリ。
【請求項７８】
前記さや部材は、前記ベース部と封止係合可能であることを特徴とする請求項７７記載の照明アセンブリ。
【請求項７９】
前記ベース部から前記さや部材の選択的な解放を可能にする脆弱な開封帯を含むことを特徴とする請求項７７記載の照明アセンブリ。
【請求項８０】
前記照明アセンブリからの照明を指向させるために前記光源に関連して配置された少なくとも１つのレンズを含むことを特徴とする請求項４８記載の照明アセンブリ。
【請求項８１】
少なくとも１つの前記レンズは、前記膣鏡への前記光源の光学的接続を可能にするように構成されていることを特徴とする請求項８０記載の照明アセンブリ。
【請求項８２】
前記照明アセンブリは、診察用照明として独立して用いられてもよいことを特徴とする請求項５８記載の照明アセンブリ。
【請求項８３】
前記スイッチ部材は、それに対する手動操作によって係止位置へ選択的に移動自在であることを特徴とする請求項８２記載の照明アセンブリ。
【請求項８４】
前記スイッチ機構は、前記部材が前記係止位置へ移動されると係合される戻り止めピンを含むことを特徴とする請求項８３記載の照明アセンブリ。
【請求項８５】
膣鏡の受け入れ用空洞内で保持を可能にするように構成された少なくとも１つの機構を含むことを特徴とする請求項４８記載の照明アセンブリ。
【請求項８６】
前記筐体が膣鏡の受け入れ用空洞内に少なくとも予め定められた距離を嵌入されると、前記照明アセンブリは、前記光源に自動的に通電するように構成されていることを特徴とする請求項４８記載の照明アセンブリ。
【請求項８７】
前記照明アセンブリは、前記照明アセンブリの主軸に対して前記受け入れ用空洞内で、前記照明アセンブリの少なくとも１つ以上の回転方向において前記光源に自動的に通電するよう構成されていることを特徴とする請求項８６記載の照明アセンブリ。
【請求項８８】
前記少なくとも１つのＬＥＤを補助電源に選択的に相互接続する手段を含む請求項４９記載の照明アセンブリ。
【請求項８９】
前記補助電源は、移動式電源を含むことを特徴とする請求項８８記載の照明アセンブリ。
【請求項９０】
前記補助電源は、非移動式電源を含むことを特徴とする請求項８８記載の照明アセンブリ。
【請求項９１】
少なくとも１つの前記ＬＥＤによって生成される地点の大きさを調整する手段を含む請求項４８記載の照明アセンブリ。
【請求項９２】
少なくとも１つの前記ＬＥＤによって生成される照明の出力を調整する手段を含む請求項４８記載の照明アセンブリ。
【請求項９３】
前記照明出力調整手段は、前記筐体の上端に配置される少なくとも１つの光学的要素を含むことを特徴とする請求項９２記載の照明アセンブリ。
【請求項９４】
少なくとも１つの前記光学的要素は、少なくとも１つの前記ＬＥＤからの光を指向させるプリズム部材を含み、前記筐体は、膣鏡の受け入れ用空洞内で移動自在であることを特徴とする請求項９３記載の照明アセンブリ。
【請求項９５】
少なくとも１つの前記ＬＥＤによって発射される照明の色を調整する手段を含む請求項４８記載の照明アセンブリ。
【発明の詳細な説明】
【技術分野】
【０００１】
本出願は、手持ち式の医療用診断器具に関し、特に膣鏡とともに用いられる照明アセンブリに関する。
【背景技術】
【０００２】
本出願は、以下の２つの暫定特許出願に基づいていて、３５ＵＳＣ§１１９（ｅ）に基づく優先権を主張する。即ち、「照明される膣鏡アセンブリ」と題されて、２００５年４月１日に出願されたＵＳＳＮ６０／６６７，５０５、及び、「照明される膣鏡アセンブリ」と題されて、２００５年１１月１０日に出願されたＵＳＳＮ６０／７３５，５７６である。上記出願の各々の全内容は、全体において参照として本願明細書に組み込まれている。
【０００３】
膣鏡は、女性患者の頸部を診察するために診断医学の分野で現在利用されている周知の器具である。典型的な膣鏡は、上部ブレード部材及び下部ブレード部材を含み、それらは患者の膣腔を広げるために関節メカニズムを用いて開閉するために操作される。ニューヨーク州スカニアトレスフォールズのウェルチ・アリン社から製造販売されている膣鏡器具の１つの種類によれば、コード付き照明アセンブリは、成形プラスチック材料でできている使い捨て膣鏡の中空ハンドル部内に収容される。照明アセンブリは、ハロゲンまたは他の小型の白熱ランプなどの小型光源を含み、小型光源はアセンブリ筐体内に含まれて、専用の（例えば、ＡＣ）電源にケーブルで繋索されている。中空ハンドル部分によって収容されると、光源は、下部ブレード部材内に配置される湾曲した光導体の近位端と接続される。光導体は光透過型材料から形成される。光は、光導体に沿った内部反射によって光源から遠位端まで伝送される。光導体は、下部ブレード部材の内部に沿って伸びている。光は、下部ブレード部材の遠位端の方へ対象（即ち頸部）まで光導体の遠位端から発射される。それによって、施術者が効果的に患者の診察を行うことが可能となる。
【発明の開示】
【発明が解決しようとする課題】
【０００４】
ここに記載されている光導体に関する１つの課題は、いわゆる「温」点が遠位発光端部で形成されるということである。遠位発光端は、その近位端で上部及び下部ブレード部材の間で形成される膣鏡の観察用開口に沿って、ユーザの目に光後方反射をさらに起こす。この後方反射はかなりのグレア量を生成し、それによって、診察の効果を損なう。さらに、現在の光導体の遠位端の構造は、対象（例えば頸部）における不均一な配光をもたらす。
【０００５】
他の問題は、光導体の本体が、ユーザ（例えば医者）の下視野に及んで、対象の邪魔をするということである。さらに、外部の照明の陰影が、遠位光導体端部によってもたらされる。
【０００６】
更なる懸案事項は、光導体及び中空ハンドル部によって取り上げられる材料を含む、成形使い捨て膣鏡の下部ブレード部材において用いられるプラスチック材料の量である。必要以上のプラスチック材料は、余分の製造コストをもたらす。下部ブレード部材を成形することは、その直角の不連続性の端部に基づいて応力集中が光導体の遠位端で生成されるという点で、更に影響を受けて、弱い場所及び潜在的な破損をもたらす。さらに、ゲートの近くの断面の急変のために成形することは難しい。
【０００７】
また別の問題は、診察によって排出される体液が、光導体の遠位端によってしばしば閉じ込められて、光導体の発光面に対して体液の蓄積についての光伝送での影響を与えられて診察の効率を損なうだけでなく汚染問題を引き起こす。
【０００８】
また別の問題は、繋策された照明アセンブリを利用する概念に業界が甘んじるようになったということである。効果的で非常に役立つにもかかわらず、この種のアセンブリは、例えば患者が寝たきりであるといった例などを実施する診断を不可能にする。これらの状況において、膣鏡器具のコード付き部分は、患者を診察するのに障害になるかもしれない。さらに、コード付き照明アセンブリの使用は、非移動式の（例えばＡＣ）電源が診察領域に存在することを必要として、視野診断を難しくする。またさらに、コード付きのアセンブリは、からまるかもしれず、またはほこりまたは他の汚濁の出所になるかもしれず、診察の間に頻繁に洗浄することを必要とする。
【０００９】
またさらに、例えばＬＥＤなどの替わりの光源の出現は、白熱ランプの寿命より長い寿命を有効な照明に与える手段を提供する。従来、膣鏡用移動式照明システムにおけるこの種の光源の取り込みは、電力変換及び照明出力の非効率性のために、該分野において阻まれてきた。これらの光源の供給は、少なくとも一部の例において望ましいが、この種の器具における使用に対して現在利用可能でない。
【課題を解決する手段】
【００１０】
１つの態様によれば、膣鏡とともに用いられる照明アセンブリが開示される。照明アセンブリは、筐体と、筐体に収容される光源と、収容される光源に電力を供給する少なくとも１つのバッテリを収容する手段と、を含み、照明アセンブリは、膣鏡のハンドル部の受け入れ用空洞内で嵌合するようになされている。
【００１１】
光源は、白色ＬＥＤなどの少なくとも１つのＬＥＤを含んでもよく、または、替わりに白熱ランプを含んでもよい。少なくとも１つのバッテリを収容する手段は、バッテリ容器などの筐体内に設けられるか、または、筐体と繋索または機械的係合のいずれかによって接続された別個の構成要素を介して設けられてもよい。
【００１２】
照明アセンブリは、光源に選択的に通電するためのスイッチ機構を含んでもよい。１つの実施例によれば、スイッチ部材は、アセンブリ筐体の外部に設けられてもよい。スイッチ部材は、オフ位置においてバイアスをかけられてもよく、膣鏡の受け入れ用空洞へのアセンブリ筐体の係合によって、光源が自動的に通電される。スイッチはまた、照明アセンブリが診察用照明として独立して実施されることを可能にする。アセンブリは、スイッチ部材を係止する手段を含み、自動操作は、膣鏡の受け入れ用空洞内の筐体の位置にかかわらず可能である。
【００１３】
光源に電力を供給するために用いられる少なくとも１つのバッテリは、再充電可能であり、アセンブリ筐体は、再充電が必要なときを指示する低バッテリ電力インジケータを含む。一組の充電接点も設けられ、アセンブリが、ドッキングステーションとともに用いられることを可能にする。ここに説明されたアセンブリは、再充電が容易に可能でない例において、必要に応じて、補助電源とともに用いられてもよい。補助電源は、少なくとも１つのバッテリまたはＡＣ電源を含んでもよく、各々は、筐体に接続可能である。
【００１４】
照明アセンブリは、アセンブリ本体に取り付け可能な膣鏡アダプタをさらに含み、アダプタは、膣鏡の受け入れ用空洞への筐体の係合を容易にする。１つの様式では、膣鏡アダプタは、照明アセンブリの１つの種類のエンベロープに等しい外部エンベロープと、照明アセンブリの別の種類を収容するよう用いられる内部エンベロープとを組み込む。膣鏡アダプタは、膣鏡の受け入れ用空洞に関連した整列を容易にすることを可能にする。
【００１５】
別の様式では、筐体はベース部を含む。バッテリ筐体及び照明源筐体は、１つの実施例によるベース部の少なくとも１つの側面上で平行な関係に配置されるかまたは、バッテリは光源とともに単一の筐体に格納されてもよい。ベース部は、アセンブリ筐体の残り部分より大きい断面を有し、ベース部は、そこに取り付けられると膣鏡の受け入れ用空洞から延伸するように構成されている。ベース部は、約０．５から１．５インチの長さであり、それによって、膣鏡に取り付けられると診察を行うための効果的な長さを画定する。筐体の残りの部分の断面は、膣鏡の受け入れ用空洞の内部と実質的に密着して用いられる。
【００１６】
可撓性さや部材は、ベース部に取り付け可能であり、１つの様式によれば、さや部材はベースと封止係合可能である。脆弱な開封帯ベース部からさや部材の選択的な解除を可能にする。
【００１７】
照明アセンブリは、アセンブリによって生成される熱を分散する手段をさらに含む。１つの変化形によれば、ヒートシンクは、アセンブリ筐体内に配置される。別の変化形では、筐体は、相変化材料を少なくとも部分的に含む。
【００１８】
照明アセンブリは、収容される光源から照明を指向させるために光源に関連して配置される少なくとも１つのレンズを含む。少なくとも１つのレンズは、膣鏡に光源の光学的接続を可能にするように構成されている。
【００１９】
アセンブリ筐体の少なくとも１つの機構は、膣鏡の受け入れ用空洞内で保持を可能にするよう構成され、アセンブリは、アセンブリ筐体が膣鏡の受け入れ用空洞内で少なくとも予め定められた距離を嵌入されると収容される光源に自動的に通電するように構成される。
【００２０】
好適な様式によれば、アセンブリは、光源に自動的に通電され、アセンブリは、受け入れ用空洞内で少なくとも１つ以上回転方向を想定してもよい。１つの様式では、照明アセンブリは、第１回転方向及び、照明アセンブリの主軸に対して第１回転方向に関して１８０度の間隔をあけた第２回転方向に配置されるように構成される。この様式によれば、アセンブリはまた、受け入れ用空洞内に想定された回転方向にかかわりなく、光源に自動的に通電するように構成される。別の様式によれば、照明アセンブリは、照明アセンブリの主軸に対していずれの回転方向も想定して構成される。
【００２１】
また別の態様によれば、低電力回路の場合には光源を非移動式電源に選択的に相互接続する手段がバッテリ電力供給様式において設けられ、ここに説明されたアセンブリでより大なる柔軟性及び多用途性を可能にする。
【００２２】
また別の様式によれば、通電された光源によって生成された照明地点の均一性を調整する手段が設けられる。照明出力を調整する手段も設けられる。後者の手段は、アセンブリ筐体の上端に配置される少なくとも１つの光学的構成要素を含んでもよい。１つの様式によれば、少なくとも１つの光学的要素は、光源からの光を指向させるプリズム部材を含み、アセンブリ筐体は膣鏡の受け入れ用空洞内で軸方向に移動自在である。
【００２３】
また別の様式によれば、光源によって発射される照明の色を調整するために設けられる。
【００２４】
別の様式によれば、膣鏡とともに用いる照明アセンブリが開示される。アセンブリは、筐体及び筐体内に含まれる少なくとも１つのＬＥＤを含む。筐体は膣鏡のハンドル部の受け入れ用空洞内に位置するよう用いられる。
【００２５】
少なくとも１つのＬＥＤは、少なくとも１つのバッテリまたは替わりに非移動式（例えばＡＣ）電源で電力供給されてもよい。１つの好適様式では、少なくとも１つのＬＥＤは白色ＬＥＤを含む。
【００２６】
少なくとも１つのバッテリを収容する手段が設けられ、手段は、筐体内に設けられてもよくまたは、少なくとも１つの端部で機械的または電気的に筐体に取り付けられるかまたは筐体にケーブルで繋索された本体を有する電力アダプタなどの、筐体に接続されてもよい。別の様式によれば、筐体はＡＣ電源に繋索される。
【００２７】
スイッチ機構は、少なくとも１つのＬＥＤを選択的に通電する。１つの様式によれば、スイッチ機構はアセンブリ筐体の外部に形成された一部を有するスイッチ部材を含む。１つの実施例では、スイッチ部材はオフ位置においてバイアスされてもよい。スイッチ部材はユーザによって係止されてもよく、それによってさらに自動操作を防いでオン位置でアセンブリを維持する。
【００２８】
少なくとも１つのバッテリは、例えば、ドッキングステーションを用いて、再充電可能であって、再充電されてもよい。１つの様式によれば、充電接点は筐体の底面に設けられる。低バッテリ電力インジケータは、再充電が必要なときを指示するよう設けられる。
【００２９】
ここで説明された照明アセンブリは、アセンブリ筐体内に配置されたヒートシンクなどの、アセンブリによって生成される熱を分散する手段も含んでもよい。別の様式によれば、筐体または少なくともその一部は相変化材料を含む。
【００３０】
少なくとも１つのＬＥＤは、高出力（例えば、１ワットで最小２０ルーメン／ワット）及び長寿命（例えば、少なくとも１０００時間）の両方が可能であって、医療的応用に対して照明アセンブリの効果的で長期の使用を可能にすることが望ましい。
【００３１】
膣鏡アダプタは筐体に取り付け可能で、アダプタは膣鏡の受け入れ用空洞内で筐体の係合を容易にする。好適様式では、膣鏡アダプタは、照明アセンブリの１つの種類のエンベロープと同等の外部エンベロープと照明アセンブリの別の種類を収容するために設けられた内部エンベロープとを含む。
【００３２】
筐体はベース部を含む。１つの様式によれば、照明アセンブリは、バッテリ筐体及び照明源筐体を含んでもよく、バッテリ筐体及び照明源筐体の各々は、ベース部の片側に平行な関係で配置される。ベース部は、アセンブリ筐体の残りの部分より大きい断面を有し、ベース部は、アセンブリ筐体に取り付けられると膣鏡の受け入れ用空洞から延伸するよう構成されている。好適な様式では、ベース部は、０．５インチから１．５インチの長さを有し、膣鏡に接続されると効果的な作業長が確立される。アセンブリ筐体の残り部分の断面は、膣鏡の受け入れ用空洞の内部と実質的に密着嵌合を設ける大きさである。
【００３３】
照明アセンブリは、ベース部に取り付け可能である可撓性さや部材を含んでもよい。１つの様式では、さや部材は、ベース部と封止係合可能であり、ベース部からさや部材の選択的解除を可能にする脆弱な開封帯を含んでいてもよい。
【００３４】
少なくとも１つのレンズは、照明アセンブリからの照明を指向させるためにＬＥＤに関係して筐体内に配置される。少なくとも１つのレンズは、膣鏡に対してＬＥＤの光学的接続を可能にするように構成される。
【００３５】
照明アセンブリは、アセンブリ筐体が膣鏡のハンドル部内の受け入れ用空洞内で少なくとも予め定められた距離を嵌入されると、光源に自動的に通電するように構成されることが望ましい。その端部に、照明アセンブリは、膣鏡の受け入れ用空洞に設けられた機構と係合可能であるスイッチ機構を含み、自動操作を提供してもよい。スイッチ機構は、また主導で操作されてもよく、照明アセンブリが診察用照明として独立して用いられてもよい。スイッチ機構は、自動操作を不可能にするように選択的に係止されてもよい。
【００３６】
アセンブリは、膣鏡のハンドル部内の受け入れ用空洞と係合可能であり、アセンブリは、受け入れ用空洞内でアセンブリの少なくとも１つ以上の回転方向において収容されるＬＥＤに自動的に通電するように構成されている。１つの様式では、筐体は、第１回転方向及び第１回転方向に対して１８０度の間隔をあけた第２回転方向において構成されてもよい。この様式では、光源は、第１及び第２回転方向のいずれかで自動的に通電されてもよい。また別の様式では、照明アセンブリは、受け入れ用空洞内でアセンブリの主軸に対してどの回転方向も想定されて用いられる。
【００３７】
照明アセンブリは、例えば収容されるバッテリが空になるかまたは不十分な電力を有するかのいずれかの状況において、少なくとも１つのＬＥＤを補助電源と選択的に相互接続する手段も含む。
【００３８】
照明アセンブリは、通電された光源で生成される地点の大きさを調整する手段をさらに含む。
【００３９】
照明アセンブリは、光源によって発射される照明の色を調整する手段をさらに含み、ＬＥＤによって生成される照明出力を調整するようさらに構成されていてもよい。照明出力を調整する手段は、筐体の上端に配置される少なくとも１つの光学的構成要素を含む。少なくとも１つの光学的構成要素は、光源からの光を指向させるプリズム部材を含み、筐体は、膣鏡の受け入れ用空洞内で移動自在である。
【００４０】
ここで説明された照明アセンブリは、コード付き照明アセンブリは必要ではないといったより大なる柔軟性を可能にする。照明アセンブリは、取り付けられた膣鏡によりうまく接続され、アセンブリは非移動式電源に繋索されることなしに診察用照明として独立して用いられてもよい。アセンブリは、容易に清掃されて維持されることが可能であって、操作が簡単である。
【００４１】
これらの及び他の態様、特徴、及び利点は、添付図面とともに読まれるべき以下の詳細な説明から容易に理解されるだろう。
【発明を実施するための形態】
【００４２】
以下は、照明される膣鏡器具に関し、またここで説明されて本願明細書による様々な実施例に基づく器具のいくつかの態様に関する。しかしながら、当業者に明らかであって、本発明の概念の範囲内にあることを目的とする多くの変化物及び変化形は、あとに続く検討から容易に理解されるだろう。さらに、「頂部」、「上部」、「底部」、「下部」、「上方」、「下方」、「近位」及び「遠位」などのいくつかの用語は考察を通してずっと用いられ、それらの各々は添付図面に関して適当な参照フレームを提供するために用いられている。しかしながら、これらの用語は、具体的に示される場合を除いて、制限を超えさせるものではない。
【００４３】
先ず図１−４を参照すると、使い捨て膣鏡１０２及び再使用可能な照明アセンブリ１４０を含む従来技術による膣鏡器具１００が示されている。使い捨て膣鏡１０２は、３つの相互接続された構成要素を含む。即ち、下部または底部ブレード部材１０４、上部または頂部ブレード部材１０８、及びスライド部材１１２である。２つのブレード部材１０４、１０８の各々は、アクリルまたはポリスチレンなどの透明で耐久性のあるプラスチック材料で出来ていることが望ましい。そこで、下部ブレード部材１０４及び上部ブレード部材１０８の各々は、槽状の遠位ブレード１１６を含む。ハンドル部１２０は、下部ブレード部材１０４の近位端または後端から下方へ垂直に延びていて、そこでハンドル部は下部ブレード部材の一部として一体に成型されている。
【００４４】
スライド部材１１２の中間部分は、ハンドル部１２０の後方対向側上に設けられているガイドスロット（図示せず）内にはめ込まれる。スライド部材は、上部ブレード部材１０８を収容するフォーク状上端またはヨーク１２４をさらに有し、上部ブレード部材１０８は、そこに回転自在に取り付けられ、ブレード部材の近位端から延伸している下方延伸レバー部１２８を含む。
【００４５】
レバー部１２８は、図３にだけ示された開口部１３５をさらに含み、ヨーク１２４と上部及び下部ブレード部材１０８、１０４との間のユーザ用開口部を画定している。レバー部１２８は、タブ１３７内で終端する。タブ１３７は内部スロット１３９を有する。内部スロット１３９は、ヨーク１２４の下に設けられたスライド部材１１２の可撓性後方延伸突出部１２３と係合可能であって、より具体的には、突出部の下部対向面上に設けられている、軸方向に配置された一組の歯止め歯１２５と係合可能である。可撓性突出部１２３の歯止め歯１２５は、上部ブレード部材１０８のレバー部１２８の内部スロット１３９内へバイアスをかけられる。上部及び下部ブレード部材１０８、１０４の間の角度関節は、タブ１３７に対して内側に指圧力を印加することによって開始されて、レバー部１２８が一組の歯止め歯１２５に沿って移動を生じ、それで正の係合を設ける。
【００４６】
さらに、スライド部材１１２は、ハンドル部１２０の後方外側に設けられている一組の対応する歯１３１と係合する単一の歯止め歯１３０を有する下部舌状部１２９を更に含み、必要に応じて、上下のブレード部材１０４、１０８の間で相対的な垂直調節器を設ける。ここに説明された使い捨て膣鏡１００に関する追加の詳細には、上下のブレード部材１０４、１０８の調整を含んでいて、米国特許第３，７１６，０４７に見られ、その全体の内容は、参照としてここに引用されている。
【００４７】
図１を参照すると、使い捨て膣鏡１００のハンドル部１２０は、再使用可能な照明アセンブリ１４０の筐体１４４を収容する寸法になされた受け入れ用空洞１３３を含む。筐体１４４は、ハロゲン球などの小型の白熱ランプを保持し、小型の白熱ランプはその遠位部１４８内で、封止保持される。膣鏡１００に組立てられると、受け入れ用空洞１３３から延伸している筐体１４４の近位部は、電気ケーブル１５６まで延びている張力緩和部１５２を含み、電気ケーブル１５６はスイッチアセンブリ１６０までさらに延びている。図１に示すように、電気ケーブル１６４は、スイッチアセンブリ１６０から、対応する雌プラグ１７２に係合する三つ又プラグ１６８まで延伸する。三つ又プラグは電源トランス１７６まで延伸している対応するケーブル１７４で繋策されている。スイッチアセンブリ１６０は、エラストマの筐体によって画定され、照明器筐体１４４の遠位部１４８の内に含まれる小型の白熱ランプ（図示せず）に選択的に通電するために用いられる押下可能ボタン１６３を有する。照明アセンブリ１４０に関する具体的な詳細は、「流体封止シールを有する照明アセンブリ」と題されて、その全内容がここに参照として引用されている、同一出願人により共に出願中の米国特許出願公報第２００４／０１８４２８８  Ａ1に見られる。
【００４８】
図１−４を参照し、関心の対象まで照明アセンブリ１４０からの光を方向づけるために、湾曲した光導管または導体１４６が設けられ、光導体は、図２の下部ブレード部材１０４のハンドル部１２０の上端に配置された近位端を有する。筐体１４４が膣鏡１００のハンドル部１２０の受け入れ用空洞１３３に嵌入されると、含まれる小型の白熱ランプが光導体１４６の近位端に光学的に接続される。それから放射光は、平坦な遠位発光端部１４７まで光導体１４６の長さを介して内部反射を用いて導かれる。次に光は目標の方に下部ブレード部材１０４の長手軸に実質的に沿って分散される。光導体１４６は、下部ブレード部材１０４へ直接成型されることが望ましい。上述したように、導体の近位端はハンドル部１２０の受け入れ用空洞１３３の上端に設けられている。操作中に、接続された白熱ランプからの光は、光導体１４６の近位端部へ、やはり直接成型されることが望ましいプラスチックレンズ（これらの図には示されていないが、図２７において示されているうちの１つ）を用いて集められる。レンズは、照明アセンブリ１４０のランプからの光を集めて、透過型光導体１４６を介して該光を伝導するために適当な曲率を有する。
【００４９】
光導体１４６は、照明アセンブリ１４０の含まれる小型の白熱ランプから照明を導くための接続手段を設けるが、図１−４の機器設計に関して多くの問題がある。第１に、光導体１４６の設計は、図２及び３にはっきりと示されているように、使い捨て膣鏡１００の画定された近位開口部１３５を介して観察される場合に、ユーザに対する障害を生成する。より詳しくは、光導体１４６の反射する性質は、光導体の遠位端１４７からユーザの方へ近位に反射される光からグレアを生成する。そこで、有効な光転送における損失は、対象の照明を損なう。外部の照明が用いられる場合に、光導体１４６が陰を生成するという点で、さらなる非効率性が生じる。さらに、平坦で光導体の中央線に対して垂直である、光導体１４６の遠位端１４７は、目標からの光も遮断する流体収集領域を生成する。ここに提供されているような光導体１４６の遠位端１４７も、射出成形における問題点を生じる。
【００５０】
図５−７を参照すると、第１の実施例に従って製造される膣鏡器具２００が示されている。膣鏡器具２００は、使い捨て膣鏡２０４と、膣鏡のハンドル部分２１６に取り外し可能に取り付けられる照明アセンブリ２３０とを含む。本実施例では、ハンドル部２１６は中空であって、ほかの囲まれた受け入れ用空洞２１７へと延伸している開放底端部を含む。ハンドル部２１６は、受け入れ用空洞２１７を含んでいて、実質的に矩形の断面によって画定される。その重要性は以下に詳述される。
【００５１】
前述のように、本実施例による使い捨て膣鏡２０４は、概して、上部または頂部ブレード部材２１２、下部または底部ブレード部材２１４（それは、ハンドル部２１６を一体的に含む）及びスライド部材２２０によって画定される。上部ブレード部材２１２及び下部ブレード部材２１４の各々は、図１−４に関して記載されているのと同様に構成されていて、各々の部材は、アクリルまたはポリスチレンなどの、耐久性がある透明なプラスチック材料から形成されることが望ましく、そこで各々のブレード部材は、図７の谷形の細長い断面またはブレード２１５によってさらに画定される。上部ブレード部材２１２は、その近位端において下方へ伸びているレバー部２２４を更に含む。スライド部材２２０は、必ずしも透明である必要はないが同様に耐久性プラスチック材料から作られていることが望ましく、フォーク状の上部部分またはヨーク２２８をさらに含む。フォーク状の上部部分またはヨーク２２８は、ヨーク２２８の真下に配置されていて後方に伸びる、即ちハンドル部２１６から離れている、可撓性突出部２２５だけでなく上部ブレード部材２１２を枢動自在に受け入れる。可撓性突出部２２５は、（図５に示したように）凸面構成において上方へ湾曲して、可撓性突出部の底面に沿って配置される一組の歯止め歯２２６を含む。
【００５２】
レバー部２２４は、開口部２２１を含むフレームのような構造によって画定され、底部タブ２２７同様に上部及び下部ブレード部材２１２、２１４を介してユーザが患者を診察することができる開口部を画定する。底部タブ２２７上の指圧力が、前に説明した方法と同じ方法で、膣鏡２００を角度をつけて連結することを可能にする。本実施例によれば、スライド部材２２０の中間部分は、ハンドル部２１６の後側の長さの全体にわたって延びているガイドスロット２２３内に（軸方向に）移動自在に配置される。スライド部材２２０の下部舌状部２２９上の指圧力は、スライド部材２２０に設けられた単一の歯とハンドル部２１６の近位または後側に設けられた一組の外部の歯２２２との間の係合を可能にして、スライド部材２２０及びヨーク２２８の選択的な移動を介して上部ブレード部材２１２に関して、下部ブレード部材２１４の選択的な垂直関節（間隔）を可能にする。ガイドスロット２２３は一組の外部の歯２２２を介して軸方向に伸び、図１に示された様式とは対照的に成形性を改良している。
【００５３】
下記のさらなる詳細にて説明するように、ここに記載されている使い捨て膣鏡２０４の受け入れ用空洞２１７は、少なくとも２つの照明アセンブリを交換可能にかつ取り外し可能に収容する大きさである。さらに詳細に以下に記載されるように、膣鏡によって交換可能に収容され得る照明アセンブリは、寸法、電源の種類及び光源の種類を含む、少なくとも１つの構造面及び／または機能面において変化してもよい。１つの変化形では、膣鏡２０４の受け入れ用空洞２１７は、図１のコード付き照明アセンブリ１４０及び、非移動式電源（例えば、ＡＣ電源）または例えば図８、１１及び１２で完全に示した典型的なアセンブリ２３０などの移動式照明アセンブリを利用している同様に構成されたアセンブリのいずれかを交換可能に収容することができる。この典型的な様式に関する詳細がここで提供される。
【００５４】
参照のために、本実施例によるコードレスまたは移動式の照明アセンブリ２３０は、図５−８、１１及び１２の各々において少なくとも部分的に示されている。手短に言えば、この照明アセンブリ２３０は、下記のように、多くの構成要素を保持する大きさの実質的に中空の内部を有する筐体２３６によって画定される。
【００５５】
より具体的には、筐体２３６は、下部のベース部２６０及びより狭い延伸上部２４５によって画定される。本実施例によれば、２つの部分２４５、２６０は、筐体を成型することによって一体的に形成され、筐体は耐久性プラスチック材料から製造される。より狭い延伸上部２４５は、ハンドル部２１６の受け入れ用空洞２１７内で完全に嵌合する大きさであり、それの上面２３５から突出している短い管状の開口端部延伸部２３８を含む。
【００５６】
図８及び１１によりはっきりと示されるように、筐体２３６の上部２４５も、膣鏡２０４の受け入れ用空洞２１７に関してアセンブリ２３０を整列させるために用いられる筐体の反対側に沿って配置されている一組の平行なガイドレール２４９（その内の１つだけは、図８及び１１の各々に示されている）を含む。そして、下記にさらに詳細に説明するように、お互いに１８０度の間隔を置いた２つの回転方向内の空洞内でアセンブリが嵌合されることを可能にする。
【００５７】
上記したように、筐体２３６の実質的に中空の内部は、多くの構成要素を保持する大きさである。より具体的にかつ図１２を参照すると、管状の開口端部突出部２３８は、間隔保持チューブ２４１を含む。レンズ２５９は、間隔保持チューブ２４１の遠位端に嵌合される。本実施例によれば、レンズ２５９は、平凸面構成を有して、管状延伸部２３８の範囲内に埋め込まれている。このレンズ２５９は、接続された光源から図２７の導波路２５４へより効果的に照明を導くために用いられる。
【００５８】
光源の上部はまた、間隔保持チューブ２４１内で保持される。本実施例によれば、図２２に図式的に示したように、ルミレッズ株式会社によって製造されている型式ＬＸＨＬ−ＰＷ０１白色ＬＥＤなどの小型白色ＬＥＤ２３２である。ＬＥＤ２３２は、レンズ２５９と整列するその上端部で、ドーム型の透明なエンベロープ（図示せず）を含み、それとの光学的接続を設ける。さらに、間隔保持チューブ２４１の内部は、ＬＥＤ２３２のエンベロープから発射される直射的な迷光に作用する表面を設けて、この光をレンズ２５９に方向づける。替わりに、光源は、例えばハロゲン球、アークランプまたは他の適当な種類の光源などの小型の白熱ランプであってもよい。さらに、単一の光源がここで示されているが、異なる色（例えば、青、緑、白）を有するＬＥＤのアレイなどの、複数の光源が筐体２３６内に配置されて、「赤」の影響を受けないフィルタの蓄積効果を提供してもよい。
【００５９】
ＬＥＤ２３２の下部は、ＬＥＤ ２３２からの延伸電気接触ワイヤ（図示せず）と同様に、間隔保持チューブ２４１の下端へと伸びている、アルミニウムなどの熱伝導性の材料で作られたヒートシンク２４４内で保持される。ヒートシンク２４４は、内側の壁付き空洞２７６を収容する凹部２７２を除いては、筐体２３６の延伸上部２４５の幅全体に実質的に伸びている。
【００６０】
さらに図１２を参照すると、照明アセンブリは、この例では、サンヨー社によって製造された型式ＵＦ  ８１２２４８Ｐ  ＪＦＨバッテリなどの単一の再充電式のリチウムイオンバッテリである、少なくとも１つのバッテリ２４２を更に保持する。バッテリは、バッテリの下端を保持するための１対のタブ２８０によって画定される区画に配置されている。本実施例によれば、バッテリ２４２の上端は、内壁のある空洞２７６を画定する一部の内壁に対して保持される。内壁のある空洞は、ヒートシンク２４４の下でばね仕掛けのプランジャ２８４を収容するために画定され、プランジャは、照明アセンブリ２３０の主軸に対して垂直である方向における移動のために整列される。
【００６１】
ＬＥＤ２３２に電力を供給するための構成要素及び回路を含むプリント回路基板２４０は、本実施例によるアセンブリ筐体２３６のベース部２６０内に配置される。回路基板２４０は、ＬＥＤ２３２に必要な電流を制御するための回路を含む。本実施例によれば、回路基板２４０は、この目的のために用いられる、例えば型式ＬＴＣ３４５３ＥＵＦなどのバックブースト定電流ＬＥＤ駆動部２５１を含む。本実施例によれば、他の適当な保持手段が用いられてもよいが、回路基板２４０は、一組のガイドレール２８５を用いて筐体２３６内で保持されて整列される。一組の充電接点２８６は、回路基板２４０のすぐ下に配置され、各々は筐体２３６の底面２８７を介して突出している。本実施例によれば、３つのこの種の接点が設けられ、接点の各々は、互いに等間隔をおかれていて、その目的は以下に詳述される。ＬＥＤ２３２の下部から延伸していてヒートシンクを介して延伸しているワイヤは、バッテリ２４２の後を回路基板２４０まで通って、従来の方法で回路基板と接続される。一方、ワイヤは回路基板２４０からバッテリ２４２のマイナス端子まで伸びている。
【００６２】
下記のような１つの様式によれば、バッテリ２４２は再充電可能であって、そこで筐体２３６は、ドッキングステーションに取り付けられることによって再充電することができるように大きさを設定されかつ構成されている。照明アセンブリの筐体の取り付けに関する詳細は、この検討の目的及び図１１及び１２まで戻る参照を別にすれば、次の実施例において説明される。筐体２３６のベース部２６０がドッキングステーションのポート内に配置されると、充電接点２８６は係合される。ポートは同じものを保持するように構成されている。接点２８６は回路基板２４０の下面と係合して、含まれるバッテリ２４２の再充電を可能にする。後者は、回路基板に電気的に接続されている。本例では、３つの充電接点２８６は、筐体２３６がドッキングステーションの溝の中で少なくとも２つの１８０度の間隔をあけた方向に取り付けられるのを可能にし、さらになお再充電を可能にする。接点はそれゆえ影響を受けない位置にある。好適な様式では、そして、図２２を参照すると、回路基板２４０は、ショート／過充電保護機器２４７をさらに含み、バッテリ２４２のショート及び過充電を防止する。本実施例によれば、他の適当な器具で置換されてもよいが、テキサス・インスツルメンツ社によって製造されている型式ＵＣＣ３９５２ＰＷ−１が用いられている。
【００６３】
本実施例によれば、ベース部２６０は、１対の締め付け凹部２８９（図１１）を更に含み、１対の締め付け凹部２８９は、充電接点２８６と連動して用いられて、必要に応じて充電または外部電力に対して「洗濯ばさみ」メカニズム（図示せず）が充電接点と係合することを可能にする。
【００６４】
様々な他の構成が、ここで説明された照明アセンブリ２３０の補助または主要の電源のために用いられてもよいということが、注目されるべきである。例えば、そして図３４に示したように、筐体２３６は、バッテリ２４２を充電する代わりに、または筐体２３６の外部に設けられた低バッテリ電力インジケータ２９５によって示されるようにバッテリがほとんどまたは完全に消耗されると、トランス２９６を用いて非移動式の（例えばＡＣ）電源にプラグインコード２９１を収容するよう、替わりに構成されてもよい。本実施例によれば、低バッテリ電力インジケータ２９５が筐体２３６の上部２４５の頂部に隣接して設けられるが、そうでなければ例えば図１２の底面２８７などに沿って配置されてもよい。インジケータは図２２において図式的に示されたように、回路基板２４０に従来の方法で接続されている。また更に、バッテリ２４２（図１２）が筐体２３６内に配置されるということは必ずしも必要ではなく、替わりに電力アダプタに配置されてもよい。また、図３４に示す様に、少なくとも１つのバッテリ２４２は、ベース部２６０のレセプタクル２９７へ接続されるケーブル２９３を用いてなどアセンブリ筐体へ繋索される電力アダプタ２９８内で、または、充電接点２８６に係合する一組のピン２９９などを用いてベース部２６０の底面２８７（図１２）に機械的に係合される収容バッテリ（図示せず）を有する電力アダプタ２８８内で、替りにかつ別に含まれてもよい。
【００６５】
図１２及び２２を参照しかつ本実施例によれば、導電ストリップ部材２９０は、筐体２３６の内部側壁に沿って延びて、回路基板２４０の導電接点２４３に隣接して配置される下端２９２を有する。導電ストリップ部材２９０は、上部延伸部２４５の中へスイッチ接点２９４まで延びて、スイッチ接点２９４は機械的スライダスイッチ２４８の内側に配置され、スイッチは、図１１及び１２にかなりはっきり示されているように、筐体２３６の外部に配置される。本実施例によれば、筐体２３６が、受け入れ用空洞２１７内の内部特徴とスイッチ２４８の外面との間の係合を介してなど、ハンドル部２１６の受け入れ用空洞２１７の中へ少なくとも所定の距離で配置されると、スイッチ２４８は自動操作が可能になるよう構成されている。この例では、ばね仕掛けのプランジャ２８４が、受け入れ用空洞２１７の内壁と連動して用いられて、受け入れ用空洞２１７において照明アセンブリ２３０に係合して保持するのを助ける。
【００６６】
本実施例によれば、スライダスイッチ２４８の外面は、一対の外部突出部２５３を含み、スライダスイッチの上下端の各々の上で１つがアセンブリの手動操作を助ける。本実施例によれば、係合はスイッチ２４８に、オフ位置のスイッチにバイアスをかけて、コイルばね（図示せず）のバイアスに対して下方へ移動させて、導電性ストリップ部材２９０の下端２９２に回路基板２４０の導電接点２４３に電気的に接触させる。それによって回路を完結して、ＬＥＤ２３２に通電する。
【００６７】
本実施例によれば、照明アセンブリ２３０は更に、スライダスイッチ２４８が係止された位置に手動で予め設定されることを可能にする。そこにおいて、ＬＥＤ２３２は膣鏡２０４（図５）の受け入れ用空洞２１７に、アセンブリ２３０を設置する前に通電されてもよい（図５）。この構成において、スライダスイッチ２４８は、板ばね２６３に取り付けられた戻り止めピン２６１を設置する外部突出部２５３のうちの１つに対する指圧力によってスイッチ２４８の下方への係合に基づいて、係止位置のままである。スイッチ２４８の指圧力は、ＬＥＤ２３２の通電解除を可能にするが、受け入れ用空洞２１７（図５）内での筐体２３６の位置に関わらず照明アセンブリ２３０が係止されると、自動動作はない。
【００６８】
そうでなければ、「係止」位置に位置しない場合、受け入れ用空洞２１７から筐体２３６を除去することは、スイッチ２４８が自動的に通電解除されることをもたらし（例えば、元の位置まで上方へスイッチ２４８をスライドし、回路基板２４０との接触から導電ストリップ部材２９０の下端２９２を移動させることによって）、さらにそれによって含まれる光源（例えばＬＥＤ）２３２を通電解除する。例えば光学的スイッチ、磁気／リードスイッチ、及び他の機械式のスイッチ（例えば、それと係合して含まれるＬＥＤを自動的にまたは手動で通電しかつ通電解除すると、膣鏡で可能にされるＯＮ／ＯＦＦ投スイッチなど）などであるがこれらに限定されない、スイッチアセンブリの他の形式が利用されてもよいということに注意すべきである。
【００６９】
外部スライダスイッチ２４８の係止部を含む、動作のみならずここで説明された照明アセンブリ２３０のコードレスで内蔵型で小型の本質は、ここで説明されたアセンブリが単独で診断用照明として役立つことができるようにする。集光レンズ２５９の位置決めだけでなく間隔保持チューブ２４１内のＬＥＤ２３２の位置決めは、照明が直接能率的にかつ均一に発射されることを可能にする。管状部分２３８の露出した端部が損傷の特定の危険性を有せずに患者と実質的に接触することができるという点で、照明アセンブリ２３０内でそして特にヒートシンク２４４内で、含まれるＬＥＤ２３２の位置決めは、更に安全機能を提供する。より具体的には、接続されたレンズはチューブ状延伸部２３８に対して内側であるので、レンズ２５９は、患者またはユーザによって容易に接触され得ない。照明アセンブリ２３０が落下されても、レンズ２５９は衝撃荷重から更に分離される。
【００７０】
図１３Ａ及び１３Ｂを参照して、注目すると、ここで説明された膣鏡２０４の受け入れ用空洞２１７は、以前に説明されて図１に関して示されたように、コード付き照明アセンブリ１４０の取り外し可能な取付けを可能にする。図９に示すように、受け入れ用空洞２１７は、ハンドル部２１６の２つの実質的に内部の平行の側壁の間で形成される一対の対向する内部のレール状部分２５０を含み、レール位置は、コード付き照明アセンブリ１４０を支持して整列させるために用いられる受け入れ用空洞２１７の長さに実質的に沿って延びている。レール状部分２５０も、アセンブリが少なくとも２つの１８０度の間隔を置かれた方向に取り付けられてもよいこの実施例によれば、コードレス照明アセンブリ２３０のガイドレール２４９（図８）と整列するために用いられる。
【００７１】
筐体２３６の延伸管状開口端部２３８または照明筐体１４４（図１）の遠位部１４８（図１）を含む照明アセンブリ筐体２３６、１４４のいずれかの上部は、受け入れ用空洞２１７に収容される。一対の向かい合って配置された内部心立て指２４６は、ガイドを形成して、２つの１８０度の間隔をおいた方向のうちのいずれかの受け入れ用空洞２１７内でコード付き照明アセンブリ１４０（図１）の遠位部１４８（図１）を中心にする。照明ハウジング１４４（図１）の外部に配置されている横スプリング状突起部１３６（図１）は、受け入れ用空洞１３３（図１）内で照明アセンブリ１４０（図１）を先ず導いて方向づける。突出部１３６（図１）も、受け入れ用空洞１３３（図１）の内部で摩擦嵌合によって固定機能を設ける。
【００７２】
いずれの例においても、コード付き照明アセンブリ１４０及び、コードレスまたは移動式照明アセンブリ２３０は、ハンドル部２１６の受け入れ用空洞２１７に設置されてもよく、そこで各々のアセンブリに含まれる光源は、光導体２５４の近位端（図２７）と効果的に接続されて目標を均一に照らす。先に述べたコードレス照明アセンブリ２３０では、光は収容されたＬＥＤ２３２から、間隔保持チューブ２４１の反射する内面を部分的に用いてレンズ２５９へ方向づけられ、レンズ２５９は、下記のように、光を集めて次に集光レンズ２６２（図２７）にこの光を方向づける。
【００７３】
上記したように、筐体２３６の上部２４５は、受け入れ用空洞２１７内で完全に嵌合する大きさである。そこで、ハンドル部２１６は、上部２４５のそれに実質的に一致するほぼ２：１の縦横比（幅ｘ奥行き）によって画定されて、実質的に密接接触嵌合を画定する。１．２５：１から３：１の範囲は、十分な安定性及びより大きい剛性を提供し、さらに、手で持っての操作を効果的にするのに適当である。照明アセンブリ２３０の延伸ベース部２６０は、図６に「Ａ」で示されるように、位置Ｐ（図６）から５．５０インチのベース部２６０の底端まで測定する有効長または作動長を更に画定する。この検討のために、位置Ｐは、概して診察のための患者と接触する膣鏡２０４の最近位部を示している。さらに、それの細長いブレード部２１５（図７）に沿って、下部ブレード部材２１４の外部下側に位置する。この位置は、注意したように、見本である。より詳しくは、位置Ｐは、光導体２５４の末端の近くに実質的に位置する（図２７）。本実施例によれば、「Ａ」に対する好適範囲は、約３インチから約６インチの間である。さらに、ベース部２６０の実質的に長方形の端部は、有効な剛性だけでなくユーザに対する安定した基部を設け、器具２００（図５）を手で持つことを容易にする。
【００７４】
図２５−２７を参照すると、ここで説明される膣鏡２０４は近位端２５５を有する光導体２５４を含む。近位端２５５は、交換可能に取付けられた照明アセンブリ１４０及び２３０のいずれの光源にも接続される。前の様式によってなされたように、近位端２５５は集光レンズ２６２を更に含む。単にレンズを近位端に成型するというよりはむしろ、本実施例によるレンズ２６２は、一組の内部心立て指２４６の間で形成される環状のすきま２６５内で中心にある台座部分２６４を用いて近位端に関連する挿入物として成型される。台座部分２６４は、少なくとも１つの膜（web）（図示せず）によって環状間隙２６５内で補強されて下がるのを妨ぐ。この構造による収光レンズ２６２は、照明アセンブリ１４０（図１）、２３０（図７）のいずれかの光源との改善された光接続を設ける。この改善された光接続は、レンズ２６２（図２７）との照明アセンブリの改善された機械的な整列から、そして、環状のすきま２６５の光導体２５４の円筒部分でのより効果的な内部反射からもたらされる。
【００７５】
従来技術の光導体とは異なり、光導体２５４の遠位端２５８は、また図２の様式と異なる。本実施例によれば、遠位端２５８は下部ブレード部材２１４へ成型されて、成型された輪郭を付けられた構成を有することが望ましい。「輪郭を付けられること」によって、遠位端２５８の表面は、光導体２５４の軸に関して９０度の切断ではない、画定された形状を有するということを意味する。従って、この用語によって、例えば球形、放物線状などの湾曲線形表面だけでなく角をなす表面の範囲の両方を範囲としてもよいということを意図する。遠位端２５８における輪郭は、例えば、エンドミルまたは同様の装置によって切断されてもよいような、スカラップとして形成されることが望ましい。あるいは、上記の変形は、例えば、膣鏡がポリスチレン、アクリルまたは同様の材料でできている場合に、膣鏡２０４の下部ブレード部材２１４に対する成型処理へ入れられてもよい。概念はこれらの材料に限定されるべきではないが、文字通りいかなる光透過型材料にも適用されてもよいということはすぐに理解されるだろう。
【００７６】
この特定の実施例による遠位発光端２５８に設けられた輪郭は、約１．５から３．５インチの半径を有する内側に（即ち、凹形）湾曲した部分を生成している本質的にスカラップ状の切断である。半径の中心は、位置Ｑ（図２７）から設けられる。それはハンドル部２１０の後側から遠心に測定されると約２．６インチで、下部ブレード部材２１４のトラフ２１５（図７）の頂部から垂直に測定されると約２．４インチである。これらの寸法は、図２７に示されている。位置Ｑを位置決めする両方の寸法は、約＋／−０．３０インチ変化してもよく、なお望ましい効果を生ずるということが注目される。ここで画定された遠位端２５８は、上記に説明された半径を取るスカラップ端部の角度に近似する角度をとった切断部を用いて替わりに形成されてもよい。１つの様式によれば、垂直に対して切断部の近位上端から時計回りに測定されると、約７０度の適当な角度が設けられ、それによって下方への延伸面を生成する。改良された照明スポット品質を提供するとともにユーザ対するまぶしさを減じるために、約５５度から約８０度まで角度が変化してもよい。体液の蓄積が光透過率に著しく干渉しないように、照明は遠位表面の全部を通過する。この構成は更に、まぶしさが膣鏡の開口部を介してユーザに反射されるのを防止し、輪郭自体が、開口部を介して見られるような視界に関してほとんど煩わしくないことでユーザを更に助ける。替わりに、そして連続する輪郭をつけた表面を設ける代わりに、遠位端２５８にひとつづきの段をつけた表面（図示せず）を設けてもよい。
【００７７】
操作中に、接続された照明アセンブリ１４０、２３０は、台座部分２６４上に位置するように、レンズ２６２（図２７）によって集められ、光導体２５４内で内部反射されて、次に遠位端２５８から放射される。発光は、光が細長いブレード部２１５（図７）の遠位端の方へ向けられるようにされる。そこで、かなりの光は孔または開口部２２１（図５）を通ってユーザの視野へ反射されない。
【００７８】
前述に加えて、上下のブレード部材２１２、２１４の光導体２５４に近い表面は、（例えば、つや消しのように）処理されてもよい。膣鏡２０４が外部光源で用いられると、この種の処理は、膣鏡２０４が外部光源とともに用いられる場合に、所望されない光（即ち目標から受け取られる以外の光）がユーザの方に向けられるのを減らす際に助けとなる。同様に、光導体２５４の遠位端２５８は、様々な異なる光学面を与えられて、光熱出力を滑らかにしさらに照明の分散を制御してもよい。
【００７９】
図１４は替わりの設計を示し、使い捨て膣鏡の受け入れ用空洞２１７Ａが変形されて、並列形式の２つのＡＡＡＡバッテリに構成された筐体（図示せず）を有するコードレス照明アセンブリ（図示せず）を収容してもよい。この様式によれば、一組のレール２５０Ａはコード付きの照明筐体を別個に収容する大きさであり、レールは受け入れ用空洞２１７Ａのアセンブリを保持するだけでなく、アセンブリを整列させる。前の実施例と同様にこの様式では、ハンドル部２１６（図５）、２１６Ａ（図１４）は、その前面に対向する側に配置されている一連の平行で垂直に配置されるリブ２５６（図７）を更に含んでもよい。そして、リブは、ユーザの指を「熱い」表面から遠ざける手段を提供するだけでなく、保持された照明アセンブリによってもたらされる熱を放散させる手段を提供する。各々が約０．１６０インチの奥行き、約０．０５５インチの厚みを有し、約０．１５０インチの等間隔を有する、４つの垂直に延伸する外部リブ２５６を設けることによって追加の保護が設けられるということが決まる。他の形状が同様に利用されてもよい。
【００８０】
少なくとも１つのエアギャップも、受け入れ用空洞とコード付き照明アセンブリ１４０との間の寸法の差に基づいて受け入れ用空洞２１７において設けられる（図１３）。少なくとも１つのエアギャップは図１７に示されてより詳細に以下に説明される、照明アセンブリ１４０または替わりの照明アセンブリ１４０Ａから熱を導くために用いられる。照明アセンブリ１４０または替わりの照明アセンブリ１４０Ａは、白熱ランプの代わりに光源としてＬＥＤを含んでもよい。熱を放散させる他の手段が利用されてもよい。例えば、筐体２３６は、例えばＴＥＡＰエネルギによって製造された相変化物質（ＰＣＴ）などの、相変化物質（ＰＣＴ）を少なくとも部分的に含んでもよい。そこでアセンブリによってもたらされるかまたは生成される余熱は、使用の間本質的に蓄えられ、次に、器具の使用後少しして照明アセンブリが停止した後に放散される。
【００８１】
前述に加えて、図３２及び３３を参照すると、膣鏡アダプタ２８１は、膣鏡２０４の受け入れ用空洞２１７へのコード付き照明アセンブリ１４０Ｂの取り付けを容易にするために用いられてもよい。本実施例による膣鏡アダプタ２８１は、プラスチックの成形された本体であって、筐体２３６のそれと本質的に同様に形づくられている外部のエンベロープ２８２を含む。膣鏡アダプタ２８１は、内部エンベロープ２８３をさらに含む。内部エンベロープ２８３は、この場合、白熱ランプまたは少なくとも１つのＬＥＤ（図示せず）などの光源を含むコード付き照明アセンブリ１４０Ｂの筐体１４４Ｂを収容するために用いられる。膣鏡アダプタ２８１は、摩擦またはスナップ式または受け入れ用空洞２１７の内部とのまさつまたはスナップ式または他の実質的に密接な接触と想定される。アダプタ２８１の内部エンベロープ２８３は、予め定めた配置を必要とせずに照明アセンブリ１４０Ｂを保持して、光導体２５４（図２７）の近位端との光結合を可能にする。操作中に、膣鏡アダプタ２８１は、受け入れ用空洞（この見地から図示せず）内で、２つの１８０度の方向のうちの１つに配置されていて、受け入れ用空洞にアダプタ２８１を配置する前または後のいずれかに、照明アセンブリ１４０Ｂは内部エンベロープ２８３に嵌入される。アダプタ２８１は、アセンブリの遠位部１４８Ｂがそれを通して以下のアセンブリを延長し、収容された光源が光導体（この見地から、図示せず）に光学的に接続されることを可能にする大きさである。アダプタ２８１は大きさを設定される。アダプタ本体は、含まれる照明アセンブリによってもたらされる熱を放散させる手段を提供し、そこでアダプタ２８１の少なくとも一部は、前に述べたような相変化材料（ＰＣＭ）でさらに作られていてもよい。
【００８２】
あとに続くこのそして他の説明された実施例による照明アセンブリ２３０（図７）の移動式及び非繋索（コードレス）の性質のために、ここに説明された膣鏡器具２００はより用途が広く、例えば、ハンドル部２１６、２１６Ａから延伸しているコード付き部分がないという事実に部分的に基づいて、寝たきりの患者で用いられてもよい。上記したように、ここに説明される照明器具は、約３から６インチの有効な動作距離Ａ（図６）を有して、ベッドまたは診察台上の患者に対してさらに高い多用途性及び有用性を提供する。そのようなものとして、ケーブルが繋がれたまたは繋索されたアセンブリで前に遭遇した問題などの問題がない。いずれの照明アセンブリ１４０、２３０も、診察の後にハンドル部の受け入れ用空洞２１６、２１７Ａから膣鏡を除去して、膣鏡２０４を捨てることにより、容易に再利用され得る。あるいは、コード付き照明アセンブリ１４０（図１）は、使い捨てのさやで使用の前にカバーをかけられてもよい。この種のさやの典型的な様式は、「使い捨て膣鏡の照明アセンブリ用の保護さや」と題され、その全体が参照としてここに引用されている、米国特許出願公報第２００４／０１８６３５５  Ａ１に開示されている。この目的のための典型的なさやアセンブリ１６２４の一部は、スロット１３４（図１）を含む従来技術の膣鏡１０２を利用している図２３にも示されている。それは、ハンドル部１２０の底端で受け入れ用空洞１３３に隣接して形成される。スロットは、使い捨てさやアセンブリ１６２４を収容する大きさである。さやアセンブリ１６２４は、スプールまたはリング部材を含む。このさやアセンブリはコードレス照明アセンブリと関連して用いられてもよく、または、替わりのさやアセンブリの設計が用いられてもよい。図７及び７Ａに示すように、他方、照明アセンブリ２３０の延伸ベース部２６０は、実質的な封止関係において可撓性さや部材２６６を用いてカバーをかけられてもよい。本実施例によるさや部材２６０はベース部２６０に一致することだけを必要とする。なんとなれば、照明アセンブリ２３０の残りは受け入れ用空洞２１７内に含まれ、そこで、さやを、配置された引き裂きやすい開封帯２７０の開封を可能にするタブ２６８を用いて廃棄のために取り除いてもよいからである。
【００８３】
上記したように、コードレス（例えば、バッテリ式の）照明アセンブリの替わりの実施例が考慮されてもよい。図１５及び１６を参照すると、他の実施例に従って製造された膣鏡器具３７８が示されている。この実施例によれば、器具の使い捨て膣鏡１０２は、図１に従って示された使い捨て膣鏡と構造上において文字通り同一である。従って、同じ参照番号が、明確にするために同様の部分に対して用いられる。使い捨て膣鏡１０２は、その中に形成される受け入れ用空洞１３３を含む一体型ハンドル部１２０を有する下部ブレード部材１０４を含む。上記したように、図１−４に示したが図１５及び１６には示されていない、例えばウェルシュアライン社によって製造されている７８８１０型照明器などの照明筐体１４４は、ハンドル部１２０の受け入れ用空洞へ取り外し可能に嵌入されて収容される光導体の遠位端に接続してもよい。
【００８４】
本実施例によるコードレス照明アセンブリも、膣鏡への変更を必要とせずに膣鏡１０２のハンドル部１２０の受け入れ用空洞１３３に取り換え可能に取り付けられてもよい。言い換えれば、コード付き照明アセンブリ筐体及びコードレス照明アセンブリは、本実施例による図１５−１６の膣鏡１０２のハンドル部分１２０によって画定される受け入れ用空洞１３３に取り替え可能に嵌入されてもよい。
【００８５】
さらに図１５及び１６を参照すると、本実施例によるコードレス照明アセンブリ３８０は、筐体３８４によって画定され、少なくとも１つの極めて小型のバッテリ４０４が筐体の下端または近位端３８８に配置される。少なくとも１つの小型バッテリ４０４は、例えば非常にサンヨー株式会社から市販されているような（ＡＡＡＡ寸法１．２電圧３００ｍＡｈ  ＮｉＭＨ再充電型バッテリ）から入手可能なＡＡＡＡ再充電型バッテリであってもよい。他の適当な小型バッテリで置換されてもよい。この場合、ルミリーズ社によって製造されている型番ＬＸＨＬ−ＰＷ０１白色ＬＥＤなどの、小型ＬＥＤ（図示されていないが、図２２で２３２として以前に説明したＬＥＤと同様）である小型光源は、収光レンズ３９２に隣接する照明器筐体３８４の遠位端に配置されている。少なくとも１つのバッテリ４０４がＮｉＭＨタイプのものである場合、バッテリ外部の回路は、ＬＥＤ２３２（図２２）に補正電流を印加するために必要かもしれない。バッテリ外部の回路４０４は、図２２において以前に示されたそれと同様のＬＥＤ２３２（図２２）によって必要な電流を供給するために配置される定電流回路であってもよい。ここで説明されたＮｉＭＨバッテリは、通常１．２ボルトで動作し、ＬＥＤ２３２（図２２）は３．７ボルトで動作する。従って、３個未満のＮｉＭＨバッテリが用いられる場合、バッテリ４０４への回路は電圧ブースタ回路であってもよい。
【００８６】
照明アセンブリ３８０は回路４００を更に含み、少なくとも１つの収容バッテリ４０４の電圧が、必要に応じて、ＬＥＤ ２３２（図２２）によって必要な電圧まで上げられることを可能にする。一般的に、そして、上記したように、ＬＥＤ ２３２（図２２）に電力を供給するために必要とされる電圧は、約３．７ボルトである。ここで説明されたＬＥＤは、１ワットと評価され、少なくとも２０ルーメン／ワットの光熱出力を有し、少なくとも１０００時間の最短寿命を有する。バッテリが電気的に用いられることを可能にするこの機能を実施するための典型的な回路は、その内容が参照としてここに引用されていて、「光源としてＬＥＤを用いる医療診断器具用電気アダプタ」と題された、米国特許出願公開第２００４／０１８３４８２  Ａ１においてより完全に開示されている。照明アセンブリ筐体３８４において設けられるヒートシンク３９６は、ＬＥＤ ２３２（図２２）及び付随する回路４００によって生成される熱が効果的に低減されることを可能にする。上記したように、少なくとも１つのバッテリ４０４の寸法及び照明アセンブリ筐体３８４により、照明アセンブリ筐体３８４は、そこへのいかなる変形なしに膣鏡１０２のハンドル部１２０の受け入れ用空洞１３３内に嵌合する大きさである。そこで、照明アセンブリ筐体３８４がその中に嵌入されるときに、アセンブリ筐体３８４の近位端３８８がハンドル部１２０からわずかにだけ伸びるように構成要素が構成される。ＬＥＤは、前に述べたような光導体２５４の近位端と関連して、または既存の光導体１４６（図２）に関連して、レンズ３９２（図１６のみに図示する）及び２６２によって光学的に結合される。
【００８７】
ここに説明された小型バッテリ４０４の動作寿命は、比較的限定される。バッテリが、１日の診察のそれに少なくとも等しく延びる寿命にわたって動作するよう設計されているように、器具が構成されることが望ましい。図１６を参照すると、再充電またはドッキングステーション４０８が設けられ、ステーションは、ＡＣ電源（図示せず）に接続可能で、対応する充電ソケット４１２を画定する多くの受け入れ用スロットを含んでいる。各々の充電ソケット４１２は、照明アセンブリ筐体３８４の近位端３８８を収容する大きさである。照明アセンブリ筐体３８４の下部延伸または近位端３８８は、密封された誘導充電回路（図示せず）に充電するための密封された回路かまたは、充電接点２８６（図１２）などの再充電ソケット４１２とのピンまたは他の適当な接続によって係合される接点のいずれかを含む。複数再充電ソケット４１２が設けられ、それによって複数の照明アセンブリ３８０が格納されてここに説明された膣鏡器具３７８における使用のために同時に充電されることを可能にする。ドッキングステーション４０８は少なくとも１つの充電レベルインジケータを含み、充電が完了したときを示す。上記したように、類似したドッキングステーションは、例えば、その配置に依存して、ここに説明されたコードレスまたは移動式の照明アセンブリのいずれかとともに用いるために構成されてもよい。
【００８８】
さらに図１７を参照すると、図１のコード付き照明アセンブリ１４０はまた、白熱ランプの代わりに替わりのＬＥＤ光源を提供するために変更されてもよいということが理解される。本実施例によれば、コード付き照明器アセンブリ１４０Ａの全体的な構造は同様であり、従って、同じ参照番号が当てはまるところに用いられる。ルミリーズ社によって製造された型番ＬＸＨＬ−ＰＷ０１白色ＬＥＤなどのＬＥＤ ２３２（図２２）は、筐体１４４Ａの遠位部１４８Ａに配置されている。ＬＥＤ ２３２（図２２）は、前述したように、膣鏡のハンドル内に配置された光導体（この図に図示せず）の近位端と光学的に接続するために遠位部１４８Ａから伸びるドーム型の透明なエンベロープ（図示せず）を含む。筐体１４４Ａは、図１に示されるアセンブリの方法に類似した方法で、空洞１３３（図1）が膣鏡１０２（図１）のハンドル部分１２０（図１）によって画定される受け入れ用空洞１３３（図１）内で嵌合される適当な大きさである。含まれる白熱ランプの代わりにＬＥＤの包含は、多くの利点を提供する。例えば、更に長い動作寿命、より少ない熱生成、改善された演色、及びより少ない電力消費である。図１７に図１と同様に示されるように、照明アセンブリ筐体１４４Ａの近位部分は、電気ケーブル１５６まで延伸している張力緩和部１５２を含む。電気ケーブル１５６は更にスイッチアセンブリ１６０まで延伸している。電気ケーブル１６４は、スイッチアセンブリ１６０から、対応する雌プラグ１７２に係合する又のあるプラグまで伸びている。後者は、電源１７６まで伸びている対応するケーブル１７４によって繋策されている。スイッチアセンブリ１６０は、エラストマの筐体によって画定される。そして、１４４Aを収容している照明アセンブリ筐体１４４Ａの遠位部１４８Ａ内で含まれるＬＥＤ２３２（図２２）に選択的にエネルギーを与えるために用いられる押下可能ボタン１６３を有する。
【００８９】
操作中に、コード付きまたは繋策された照明アセンブリ１４０、１４０Ａまたはコードレス照明アセンブリ３８０の各々は、使い捨て膣鏡１０２の受け入れ用空洞１３３内に取替え可能に配置されて、光導体１４６の近位端に接続されてもよく、そこで照明は目標の方へ遠位端１４７まで内部反射によって光導体を介して伝えられる。図示されていないが、筐体３８４は、筐体が、筐体及び／または受け入れ用空洞の内部のいずれかにある少なくとも１つの機構との係合を介して、受け入れ用空洞１３３に、少なくとも予め定められた距離で配置されると、含まれる光源の自動のエネルギー付与を可能にするスイッチ部材で構成されてもよい。
【００９０】
図１８−２１を参照すると、別の実施例による膣鏡器具１２００が示される。前述のように、膣鏡器具１２００は、取り外し可能に膣鏡に取り付けられた照明アセンブリ1２６０だけでなく使い捨て膣鏡１２０４を含む。さらに、そして前述と同様に、膣鏡１２０４は、図１の１４０などのコード付き照明アセンブリまたはコードレス（移動可能な）照明アセンブリ１２６０のいずれかの交換可能な取り付けを可能にするよう構成される。この実施例のために、コードレス照明アセンブリ1２６０だけが、ここに詳細に検討される。
【００９１】
本実施例による使い捨て膣鏡１２０４は、上部または頂部ブレード部材１２１２、一体型ハンドル部１２１６を含む下部ブレード部材１２１４、及びスライド部材１２２０によって画定される。頂部ブレード部材１２１２及び下部ブレード部材１２１４の各々は、図１−４に示されるそれと同様に構成されて、例えばアクリルまたはポリスチレンなどの耐久性がある透明なプラスチック材料から形成される。各々のブレードは谷形の細長い部材として画定される。頂部ブレード部材は、その近位端で下方延伸レバー部１２２２を更に含む。同様にプラスチック材料から製造されるスライド部材１２２０は、頂部ブレード部材１２１２のレバー部１２２２を枢支的に収容するフォーク状の上部またはヨーク１２２６をさらに含む。本実施例により、そして、前述とは異なり、ハンドル部１２１６は、前に必要とされたように、集光レンズまたは光導体のいずれも含まない。むしろ、ハンドル部１２１６の内部の上部は、開放している。
【００９２】
下記により詳細に説明されるように、開口端１２３８及び、ここで説明される器具１２００の照明アセンブリ１２６０を保持する大きさである画定された空洞の内部を有する実質的に円筒状のレセプタクル１２３４は、遠心に隣接しかつハンドル部１２１６の一部であり、下部ブレード部材１２１４の下に配置され、さらにその下で本質的に垂直に延びている。しかしながら、他の配置が置き換えられてもよいということは、容易に理解されるべきである。レセプタクル１２３４は、図２１だけに示された、本実施例による不透明または黒い上部１２４２と、下部ブレード部材の透明な材料などの透明な材料から製造される下部１２４６を含む。下部は、開口端１２３８を含む。レセプタクル１２３４は、下部ブレード部材１２１４において形成された開口部を介して取り付けられて、上部1２４２がそこを通って部分的に伸びるか、そうでなければ、レセプタクルは下部ブレード部材の一部を形成するように一体的に成型されてもよい。替わりの他の様式によれば、ハンドル部１２１６が変更されて（例えば広げられる−図示せず）照明アセンブリ1２６０を収容してもよい。
【００９３】
図１８を参照すると、分解図が、照明アセンブリ1２６０で提供される。この特定の実施例によれば、照明アセンブリ１２６０は、その上部１２６９に組み込まれたプリズム部材１２６８を含む、多くの構成要素を収容する大きさである中空のケーシングまたは筐体１２６４によって画定される。ケーシング１２６４は小型の光源を保持し、小型の光源は、本実施例によれば、ルミリーズ社によって製造された型番ＬＸＨＬ−ＰＷ０１白色ＬＥＤなどの小型ＬＥＤ１２７２（図１９）である。あるいは、光源は、例えばハロゲン球、アークランプまたは他の形式の適当な光源などの、小型白熱ランプであってもよい。さらに替わりに、様々なＬＥＤが置換されて、例えば、異なる色のＬＥＤ（例えば、青、緑など）のアレイが筐体に設けられて、組合せて「赤のない」フィルタを生成するように構成されてもよい。
【００９４】
図１８及び１９を参照すると、小型ＬＥＤ１２７２は、カートリッジ１２７６内で保持される。再充電式または他のバッテリ１２８０は、カートリッジ１２７６の下でケーシング１２６４内に配置される。金属の伝導性ストリップ部材１２８４は、バッテリ及びカートリッジの外部に沿って、ケーシングの内部に配置されて回路を完成する。バッテリ１２８０は、バッテリの下部または負極端部に配置されたばね１２８８によって保持される。ケーシングは、上記の構成要素を取り外し可能に保持するためのエンドキャップ１２９２を有する。プリズム部材とカートリッジ１２７６との間で、集光レンズ１２８６は、本実施例によれば、プリズム部材を介して小型ＬＥＤ１２７２の光熱出力を収集して均一に分散するために設けられる。プリズム部材は、鏡をつけられた上面を含み、光熱出力は、２つのブレード部材１２１２、１２１４の間で方向づけられる。本実施例によるレンズ１２８６は、平凸である。
【００９５】
照明アセンブリ１２６０のカートリッジ１２７６に関する詳細が、ここで図１９を参照して提供される。カートリッジ１２７６は、本実施例によれば、ラデルＲ、ポリフェニルスルホンまたは他の適当なポリマーでできている円筒形筐体本体１３０４を含む。あるいは、本体１３０４は、文字通りいかなる電気絶縁体から製造されてもよい。そこで、小型ＬＥＤ１２７２（図１９に部分的にだけ図示されている）は、オーバーレイ関係でそこに取り付けられている反射体キャップ部１３１０に隣接して遠位端１３０６に配置される。その上の適当な電子機器１３１８を含むプリント回路基板（ＰＣＢ）１３１４は、小型ＬＥＤ１２７２を駆動し（例えば、電力を供給する）かつＬＥＤがバッテリ電源１２８０（図１８）によって電力を供給されるのを可能にするために用いられた。この目的のための回路は、その全体において参照として前に組み込まれていて、同一の出願人によりいずれも審理中の米国特許出願公開第２００４／０１８３４８２  Ａ１に開示されている。本実施例によるＰＣＢ１３１４は、小型ＬＥＤ１２７２のすぐ下または近接して配置されていて、筐体１３０４によって保持されている、ヒートシンク１３３０の突出部１３２６を収容するための開口部１３２２を含み、ＰＣＢ１３１４によって同様に生成された熱だけでなく小型ＬＥＤ１２７２によって生成された熱を放散させる。
【００９６】
ヒートシンク１３３０は、その軸全体の長さにわたって延伸している軸方向溝１３２７を含み、一対の電気接点のうちの１つを保持する大きさである。第１の電気接点１３２９は、プリント回路基板１３１４の近位側から伸びて、導線及びストリップ部材１３３４を含む。最後に組立てられると、この電気接点１３２９のストリップ部材１３３４は、カートリッジカラー１３３３とカートリッジ本体１３０４の外部との間にはさまれる。第２の電気接点１３３１は、バッテリ接点ボード１３３５から軸方向に伸びる導線から形成され、ボードはカートリッジ本体１３０４の底部内で保持される。本実施例によれば、第１の電気接点１３２９は負の電気接点であり、第２の電気接点１３３１は正の電気接点である。バッテリ１２８０（図１８）の正極端子は、カートリッジ本体１３０４の底部で面取りをした孔１３３９内に配置されるリベット１３３７によって接触される。
【００９７】
さらに図１９を参照すると、反射体キャップ部１３１０は、小型ＬＥＤ１２７２のレンズエンベロープのまわりに嵌合される直通開口部１３３６によって画定される。１実施例による直通開口部は、内側へ先細りになされた表面１３３８を有し、内側へ先細りになされた表面１３３８は集光レンズ1２８６（図１８）上へ小型ＬＥＤ１２７２から発射される光を効果的に集中させるために用いられる。集光レンズ1２８６は、プリズムの部材１２６８とＬＥＤ１２７２との間で嵌合されている。本実施例による反射体キャップ部１３１０も、ＬＥＤレンズに凹所を作り、清掃のために照明アセンブリケーシング１２６４から除去されるときにカートリッジ１２７６を落とすことなどの損傷からレンズを保護する。
【００９８】
ちなみに、カートリッジ１２７６は完全に移動式でモジュール式であって、従って、例えば、他のＬＥＤまたは光源は、異なる光源を有する他のカートリッジの簡単な置換によって、ここに説明された照明アセンブリにおいて置換されてもよい。
【００９９】
図１８及び１９を参照すると、バッテリ１２８０がロータリースイッチアセンブリ（図示せず）によって軸方向に接触ばね１２８８に押しつけられるように、負の電気接点は作られている。スイッチが係合するように、電気接点１３２９のストリップ１３３４は、カートリッジカラー１３３３接触する。カートリッジ本体１３０４内の接点ボード１３３５は、正のバッテリ端子に接触して、回路を完成して、ＬＥＤ １２７２に通電する。
【０１００】
収容されるＬＥＤに自動的に通電しかつ通電解除する、例えば光学的スイッチ、磁気／リードスイッチ及び／または機械スイッチなどの他の形式、及び／または、スイッチアセンブリの他の形式が利用されてもよいということが注目されるべきである。前述のハンドル部の各々は、図１２の２４８などの外部スイッチ部材に対するユーザによる手動の係合を可能にする溝またはスロットなどの機構を含んでもよいということがついでにさらに注目されるべきである。
【０１０１】
操作中に、照明アセンブリ１２６０は、使い捨て膣鏡１２０４の円筒レセプタクル１２３４に取り外し可能に取り付けられて、プリズム部材１２６８は、２つのブレード部材１２１２、１２１４の間に設けられた開口部へ伸びるレセプタクルの上部１２４２（図２０、２１）の中へ配置される。そこで、下部ブレード部材１２１４の上部は、遠位対向開口部（図示せず）を有する。この方向において、プリズム部材１２６８の発光面は、頂部及び下部ブレード部材１２１２、１２１４の間の開口部の方へ軸方向に向けられる。ケーシング１２６４は、例えばスナップ式などの他の適当な取り外し可能な保持スキームが用いられてもよいが、レセプタクル１２３４の内壁との摩擦または締まりばめを用いて収容される。
【０１０２】
本実施例による本照明アセンブリ１２６０を提供することは、図２−４に提供されているような、光導体または下部ブレード部材１２１４における同様の光結合手段を成型またはそうでなければ提供するという必要性を排除する。さらに、照明アセンブリ１２６０はバッテリにより電力供給されるので、ケーブルは必要でない。従って、ここに説明された器具は、より用途が広くなって、例えば、寝たきりの患者が臨床医または患者とのもつれを防ぎ、さらにケーブルに集まっているほこりによる二次汚染の危険性を防ぐことを可能にする。前述のように、バッテリは充電式であって、照明アセンブリは、図１６において示されたように、ドッキングステーション内に配置されて再充電することを可能にする。
【０１０３】
図２３に示された実施例は、図１６及び１７の実施例と同様であって、同様の部品は明確にするためにここで同じ参照番号でラベルがつけられる。膣鏡器具１６００は、使い捨て膣鏡１０２のハンドル部１２０内に設けられる内蔵型の照明アセンブリ１６０８を含む。本実施例において、照明アセンブリ１６０８は、前述したように、白色または他のＬＥＤなどの小型光源１６１４を含む筐体１６１２から成る。そこにおいて、収容された光源の出力は、集光レンズ１６１６に、かつ、図１６及び１７のそれと同様の膣鏡１０２の光導体１６２０に接続される。本実施例によれば、膣鏡１０２のハンドル部１２０は、使い捨てさやアセンブリ１６２４を収容する受け入れ用空洞１３３に隣接する、スロット１３４（図１）を含む。使い捨てさやアセンブリ１６２４は、スロット１３４に取り付けられているスプールまたはリング部材１６２８を含む。スプール部材は、そこを貫通する照明アセンブリの通路を可能にする開口部を有する。スプールまたはリング部材は、その配備のためのスプール部材の外部へ折られる薄い可撓性の透明なさや１６３２を更に保持して、必要に応じて、照明アセンブリ１６０８を覆う。この種のさやアセンブリ１６２４の典型的な様式及び使い捨て膣鏡に対するその相互接続は、その全体が参照として前に組み込まれた、米国特許出願公開第２００４／０１８６３５５  Ａ１に各々開示されている。
【０１０４】
膣鏡器具１７００のまた別の実施例は、図２４によって示される。この特定の器具１７００は、筐体１７１２によって画定される照明アセンブリ１７０８を含み、筐体１７１２は、使い捨て膣鏡１２０４のハンドル部１２１６の受け入れ用空洞に嵌入される大きさである。本実施例による筐体１７１２は、少なくとも１つのＬＥＤ１７１６などの光源に電力を供給するための回路だけでなく少なくとも１つの収容されたバッテリなどの電源を含む。しかしながら、本実施例では、そして、光導体を使用するよりはむしろ、ＬＥＤ１７１６は、谷形の下部ブレード部材１２１４の表面に沿って外部に配置されている。ＬＥＤは光導体の遠位発光表面の位置に配置されて、そこで、ＬＥＤ１７１６は、一組の導線１７２０及び電気接点によって筐体１７１２に接続されている。後者の構成要素は、流体封止されているエンクロージャ１７２４に覆われ、エンクロージャは壁またはバリア１７２５によって形成されている。
【０１０５】
本出願に従って製造される他の膣鏡器具３００は、図２８−３１に示される。前述においてのように、器具３００は使い捨て膣鏡３０４及び膣鏡に取り外し可能に取り付けられた照明アセンブリ３０６を含み、照明アセンブリは、含まれる光源（図示せず）を有する。
【０１０６】
ここに示された使い捨て膣鏡３０４は、膣鏡が上部または頂部ブレード部材３０８及び下部または底部ブレード部材３１２を含むという点で、図１−４に記載されている使い捨て膣鏡と同様である。そして、後者は受け入れ用空洞３１７まで延びる底端開口部を有する一体型ハンドル部３１６を含む。スライド部材３２０は、膣鏡３０４の後側に取り付けられ、スライド部材はハンドル部３１６の後部対向側に形成されたスロットに嵌入され、そこへ上部ブレード部材３０８の回動可能な取り付けを可能にするその上端部においてヨーク３３２を含む。上部ブレード部材３０８は、上部ブレード部材の近位端から下方に延びるレバー部３２４をさらに含み、レバー部は、スライド部材３２０のヨーク３３２を介して上部及び下部ブレード部材３０８、３１２の間でユーザが見るのを可能にする開口を画定する開口部３３６を有する。レバー部３２４の底部は、スライド部材３２０から後方に伸びている湾曲部材３４８と係合する内部スロット３４４を有するタブ３４０を含む。後方に延びる部材は、可撓性で、その底面に沿って一組の歯止め歯３５２を有して、下部ブレード部材３１２と関連して、上部ブレード部材３０８の選択的な関節を可能にする。
【０１０７】
スライド部材３２０は、その底端部において単一の歯を有する下部舌状部３５６を含み、単一の歯は、ハンドル部３１６の底部に近い後部対向側に設けられた一組の歯止め歯３５８と係合する。舌状部３５６は、一組の歯３５８から歯を自由にするために反り返っていて、下部ブレード部材３１２と関連して上部ブレード部材３０８の垂直調整を可能にしてもよい。設計に関する更なる詳細及び使い捨て膣鏡３０４の関節は、以前に参照としてその全体がここに組み込まれた米国特許第３，７１６，０４７において提供される。
【０１０８】
この背景を用いて、この特定の実施例に従って照明アセンブリ３０６について検討がなされた。さらに図２８−３１を参照すると、照明アセンブリ３０６は、バッテリ筐体３６４と関係して並列で配置されている照明源筐体３６０を含む。筐体の各々は、ベース部３７２によって支持されている。照明源筐体３６０は、使い捨て膣鏡３０４のハンドル部３１６の受け入れ用空洞３１７内で嵌合される大きさであるとともに、バッテリ筐体３６４は、ハンドル部３１６の外部と関連して、隣接した関係において嵌入されるように輪郭が付けられる。バッテリ筐体はそこに平行な方向を前提とする。図３０及び３１に示されるように、バッテリ筐体３６４は、位置決めに関してハンドル部３１６の前または後ろのいずれかに設けられてもよい。
【０１０９】
バッテリ筐体３６４は、少なくとも１つのリチウムイオンまたはその他の形式のバッテリ（図示せず）を保持する大きさであって、照明アセンブリ３０６が外部（例えば、ＡＣ）電源に繋策または接続されることなしに用いられることを可能にする。回転自在なスイッチ３６８は、バッテリ筐体３６４の頂部に位置し、スイッチは、バッテリの接点及び含まれる光源に電気的に接続されて、照明源筐体３６０内で含まれる光源（例えば白色ＬＥＤ）のエネルギー付与を可能にする。スイッチ３６８が回転させられると、垂直に移動する金属チューブによって、電気接続は有効にされる。そして、垂直移動は、チューブが筐体３６４の内部で金属接点に接触することをもたらす。あるいは、他のスイッチが、照明アセンブリ３６０の本実施例によって用いられてもよい。例えば、図１１及び１２に示した種類のスイッチが用いられてもよく、そのスイッチは、照明アセンブリ３０６がハンドル部３１６の受け入れ用空洞３１７に嵌入されると自動的に可能にされて（下方に摺動することによって）、受け入れ用空洞３１７から除去されると（筐体３６４の内部のスプリングの作用下で、元の位置まで上方へ摺動することによって）自動的に使用不能にされるという利点を有する。
【０１１０】
光源は、本実施例によれば、照明源筐体３６０の遠位端に関して配置されることが好ましく、以前に説明したのと同じ方法でハンドル部３１６の受け入れ用空洞３１７の遠位端において光導体２５４（図２７）と光源が接続されることを可能にする。光導体は、以前に説明して図２５−２７に示したように、スカラップのある湾曲したまたは他の輪郭に沿った遠位発光端２５８を有する。
【０１１１】
他の変化物及び変更態様が当業者に可能であり、これらの変化物及び変更態様はここに説明された発明内で考慮されるということは容易に理解されなければならない。例えば、前述の実施例の各々は特定のバッテリの関係を表すにもかかわらず、電気的相互接続が可能な他の構成及び方向が、以下の請求項に従って意図された範囲内及び幅で用いられてもよい。さらに、閉じた受け入れ用空洞を有する膣鏡に直接関係する実施例の各々にも関わらず、ここに説明された実施例はまた、例えば、開いた壁のハンドル部を有する膣鏡で用いられてもよいということは考えられる。またさらに、実施例の各々に関連して検討された照明アセンブリは、ここで多くの実施例によって説明されているような使い捨ての様式、または使い捨て膣鏡に取り付けられてもよい再使用可能なアセンブリのいずれであってもよい。
【図面の簡単な説明】
【０１１２】
【図１】従来技術に基づいて製造された膣鏡器具の斜視図である。
【図２】図１の器具において用いられる従来技術による使い捨て膣鏡の前面斜視図である。
【図３】図２の従来技術による使い捨て膣鏡の後面図である。
【図４】図２−３の従来技術による使い捨て膣鏡の前面斜視図である。
【図５】第１の実施例に基づいて製造された膣鏡器具の部分的に取り外した後面斜視図である。
【図６】組立て時の、図５の膣鏡器具の後面斜視図である。
【図７】図５及び図６の膣鏡器具の、部分的に取り外した前面斜視図である。
【図７Ａ】図７の膣鏡器具の照明アセンブリの一部を覆うために用いられる使い捨てさや部材の斜視図である。
【図８】図５−７の膣鏡器具において用いられる照明アセンブリの側面斜視図である。
【図９】図５−７に示された器具の膣鏡の、全体を取り入れた、底面図である。
【図１０】図５−７の膣鏡の部分的な底端面図を示す。
【図１１】図８の照明アセンブリの底面斜視図である。
【図１２】カバーをはずした図８及び１１の照明アセンブリの斜視図である。
【図１３Ａ】図５−７の膣鏡に関連してコード付き照明アセンブリの互換性を示す。
【図１３Ｂ】図１３Ａに示した器具の一部の拡大図を示す。
【図１４】替わりの膣鏡の設計の底面斜視図である。
【図１５】別の実施例に基づいて製造されたコードレス照明アセンブリを含む膣鏡器具の斜視図である。
【図１６】ドッキングステーションを含む、図１５による膣鏡器具を示す。
【図１７】別の実施例に基づいて製造されたコード付き照明アセンブリの斜視図である。
【図１８】別の実施例に基づく膣鏡器具の分解図である。
【図１９】図１８の膣鏡器具の照明アセンブリで用いられる光源カートリッジの分解図である。
【図２０】組立てられた状態における図１８の膣鏡器具の後面斜視図である。
【図２１】取り外した状態における図１８−２０の使い捨て膣鏡及び照明アセンブリの側面図である。
【図２２】図１１及び１２の照明アセンブリの機能電気ブロック図である。
【図２３】図１６及び１７の膣鏡に類似した、別の実施例に基づいて製造された膣鏡器具の側面図である。
【図２４】別の実施例に従って製造された膣鏡器具の側面図である。
【図２５】図５−７において示した膣鏡の光導体の遠位端の斜視図である。
【図２６】図５−７において示した膣鏡の底部ブレード部材の一部の拡大図である。
【図２７】図５−７の膣鏡の光導体の垂直断面図である。
【図２８】別の実施例に基づいて製造された膣鏡器具の部分的に取り外した図である。
【図２９】図２８の膣鏡アセンブリにおいて用いられる照明アセンブリの上面斜視図である。
【図３０】１つの組立てられた状態で示された、図２８及び２９の膣鏡器具の側面図である。
【図３１】替わりの組立て位置で示した、図２８及び２９の膣鏡器具の後面斜視図である。
【図３２】取り外されて部分的に組み立てられた状態におけるコード付き照明アセンブリとともに用いられるような膣鏡アダプタの斜視図である。
【図３３】部分的に組立てられた状態におけるコード付き照明アセンブリとともに用いられるような膣鏡アダプタの斜視図である。
【図３４】図５−７の膣鏡器具とともに用いられるパワーアダプタの代替様式の図である。
【符号の説明】
【０１１３】
１００  膣鏡器具
１０２  使い捨て膣鏡
１０４  下部または底部ブレード部材
１０８  上部または頂部ブレード部材
１１２  スライド部材
１１６  槽状の遠位ブレード
１２０  ハンドル部
１２３  後方可撓性突出部
１２４  フォーク状上端またはヨーク
１２５  歯止め歯
１２８  レバー部
１２９  舌状部
１３０  歯止め歯
１３１  歯
１３３  受け入れ用空洞
１３４  スロット
１３５  観察用開口部
１３６  横スプリング状突起部
１３７  タブ
１３９  内部スロット
１４０  照明アセンブリ、コード付き
１４０Ａ  照明アセンブリ、コード付き
１４０Ｂ  照明アセンブリ、コード付き
１４４  筐体、照明アセンブリ
１４４Ａ  筐体、照明アセンブリ
１４４Ｂ  筐体、照明アセンブリ
１４６  光導体
１４７  遠位発光端部
１４８  遠位部
１４８Ａ  遠位部
１４８Ｂ  遠位部
１５２  張力緩和部
１５６  電気ケーブル
１６０  スイッチアセンブリ
１６３  押下可能ボタン
１６４  電気ケーブル
１６８  三つ又プラグ
１７２  雌プラグ
１７４  ケーブル
１７６  電源トランス
２００  膣鏡器具
２０４  使い捨て膣鏡
２１２  上部または頂部ブレード部材
２１４  下部または底部ブレード部材
２１５  細長い部分またはブレード
２１６  ハンドル部
２１６Ａ  ハンドル部
２１７  受け入れ用空洞
２１７Ａ  受け入れ用空洞
２２０  スライド部材
２２１  開口部
２２２  外部の歯
２２３  ガイドスロット
２２４  レバー部
２２５  可撓性突出部
２２６  歯止め歯
２２７  底部タブ
２２８  ヨークまたは上部
２２９  下部舌状部
２３０  照明アセンブリ
２３２  ＬＥＤ
２３５  上面
２３６  筐体
２３８  チューブ状開口端遠心部
２４０  回路基板
２４１  間隔保持チューブ
２４２  バッテリ
２４３  導電接点
２４４  ヒートシンク
２４５  上部
２４６  内部心立て指
２４７  ショート回路／過回路遮断器具
２４８  スライダスイッチ
２４９  ガイドレール
２５０  レール状部分
２５０Ａ  レール
２５１  ＬＥＤ駆動部
２５３  突出部
２５４  光導体
２５５  近位端
２５６  リブ、垂直に延伸している
２５８  遠位端
２５９  レンズ
２６０  ベース部
２６１  ピン、戻り止め
２６２  集光レンズ
２６３  板ばね
２６４  台座部分
２６５  環状間隙
２６６  さや部材
２６８  タブ
２７０  脆弱な開封帯
２７２  凹部
２７６  内壁付き空洞
２８０  タブ
２８１  膣鏡アダプタ
２８２  外部エンベロープ
２８３  内部エンベロープ
２８４  プランジャ、ばね仕掛けの
２８５  ガイドレール
２８６  充電接点
２８７  底面
２８８  電源アダプタ
２８９  締め付け凹部
２９０  導伝ストリップ部材
２９１  プラグインコード
２９２  下端
２９３  ケーブル
２９４  スイッチ接点
２９５  低バッテリ電力インジケータ
２９６  トランス
２９７  レセプタクル
２９８  電力アダプタ
２９９  ピン
３００  膣鏡器具
３０４  使い捨て膣鏡
３０６  照明アセンブリ
３０８  上部または頂部ブレード部材
３１２  下部または底部ブレード部材
３１６  ハンドル部
３１７  受け入れ用空洞
３２０  スライド部材
３２４  レバー部
３３２  ヨーク
３３６  開口部
３４０  タブ
３４４  内部スロット
３４８  湾曲部材
３５２  歯止め歯
３５６  舌状部
３５８  歯、歯止め
３６０  照明光源筐体
３６４  バッテリ筐体
３６８  回転自在スイッチ
３７２  ベース部
３７８  器具
３８０  照明アセンブリ
３８４  筐体
３８８  底部または近位端
３９２  レンズ
３９６  ヒートシンク
４００  回路
４０４  バッテリ
４０８  ドッキングステーション
４１２  充電ソケット
１２００  膣鏡器具
１２０４  使い捨て膣鏡
１２１２  上部または頂部ブレード部材
１２１４  下部ブレード部材
１２１６  一体型ハンドル部
１２２０  スライド部材
１２２２  レバー部
１２２６  ヨークまたは上部
１２３４  レセプタクル
１２３８  開口端
１２４２  上部
１２４６  下部
１２６０  照明アセンブリ
１２６４  ケーシングまたは筐体、くぼみ
１２６８  プリズム部材
１２６９  上部
１２７２  小型ＬＥＤ
１２７６  カートリッジ
１２８０  バッテリ
１２８４  導電性ストリップ部材
１２８６  集光レンズ
１２８８  ばね
１２９２  端部キャップ
１３０４  筐体、カートリッジ
１３０６  遠位端
１３１０  反射体キャップ部
１３１４  回路基板
１３１８  回路
１３２２  開口部
１３２６  突出端部
１３２７  軸方向溝
１３２９  電気接点
１３３０  ヒートシンク
１３３１  電気接点
１３３３  カートリッジカラー
１３３４  ストリップ部材
１３３５  バッテリ接触板
１３３６  開口部
１３３７  リベット
１３３８  テーパー部
１３３９  面取りした孔
１６００  膣鏡器具
１６０８  照明アセンブリ
１６１２  筐体
１６１４  光源
１６１６  集光レンズ
１６２０  光導体
１６２４  使い捨てさやアセンブリ
１６２８  スプール部材
１６３２  さや
１７００  膣鏡器具
１７０８  照明アセンブリ
１７１２  筐体
１７１６  光源
１７２０  導線
１７２４  エンクロージャ
１７２５  バリア／壁
【図１】
2009515561.tif 000003
【図２】
2009515561.tif 000004
【図３】
2009515561.tif 000005
【図４】
2009515561.tif 000006
【図５】
2009515561.tif 000007
【図６】
2009515561.tif 000008
【図７】
2009515561.tif 000009
【図７Ａ】
2009515561.tif 000010
【図８】
2009515561.tif 000011
【図９】
2009515561.tif 000012
【図１０】
2009515561.tif 000013
【図１１】
2009515561.tif 000014
【図１２】
2009515561.tif 000015
【図１３Ａ】
2009515561.tif 000016
【図１３Ｂ】
2009515561.tif 000017
【図１４】
2009515561.tif 000018
【図１５】
2009515561.tif 000019
【図１６】
2009515561.tif 000020
【図１７】
2009515561.tif 000021
【図１８】
2009515561.tif 000022
【図１９】
2009515561.tif 000023
【図２０】
2009515561.tif 000024
【図２１】
2009515561.tif 000025
【図２２】
2009515561.tif 000026
【図２３】
2009515561.tif 000027
【図２４】
2009515561.tif 000028
【図２５】
2009515561.tif 000029
【図２６】
2009515561.tif 000030
【図２７】
2009515561.tif 000031
【図２８】
2009515561.tif 000032
【図２９】
2009515561.tif 000033
【図３０】
2009515561.tif 000034
【図３１】
2009515561.tif 000035
【図３２】
2009515561.tif 000036
【図３３】
2009515561.tif 000037
【図３４】
2009515561.tif 000038
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
膣鏡とともに用いる照明アセンブリであって、
収容される光源と、
前記収容される光源に電力を供給する少なくとも１つの移動式電源を収容する手段と、
を含み、
前記照明アセンブリの少なくとも一部は、膣鏡のハンドル部の実質的に囲まれた受け入
れ用空洞内で軸方向に嵌合するようになされていることを特徴とする照明アセンブリ。
【請求項２】
前記光源は、少なくとも１つのＬＥＤを含むことを特徴とする請求項１記載の照明アセ
ンブリ。
【請求項３】
前記少なくとも１つのＬＥＤは、白色ＬＥＤを含むことを特徴とする請求項２記載の照
明アセンブリ。
【請求項４】
前記光源は、少なくとも１つの白熱ランプを含むことを特徴とする請求項１記載の照明
アセンブリ。
【請求項５】
少なくとも１つの前記移動式電源は、再充電可能な少なくとも１つのバッテリを含むこ
とを特徴とする請求項１記載の照明アセンブリ。
【請求項６】
前記筐体の底面に配置された一組の充電接点を含む請求項５記載の照明アセンブリ。
【請求項７】
少なくとも１つの前記移動式電源を収容する手段は、前記アセンブリに電気的かつ機械
的に接続されていることを特徴とする請求項１記載の照明アセンブリ。
【請求項８】
少なくとも１つの前記移動式電源を収容する前記手段は、前記アセンブリに機械的かつ
電気的に接続された本体端部を有する電力アダプタを含むことを特徴とする請求項７記載
の照明アセンブリ。
【請求項９】
少なくとも１つの前記移動式電源を収容する手段は、前記アセンブリにケーブルで繋索
されている電力アダプタを含むことを特徴とする請求項７記載の照明アセンブリ。
【請求項１０】
前記光源に選択的に通電するスイッチを含む請求項１記載の照明アセンブリ。
【請求項１１】
前記スイッチは、前記アセンブリの外部に形成されたその一部を有するスイッチ部材に
よって画定されることを特徴とする請求項１０記載の照明アセンブリ。
【請求項１２】
前記スイッチ部材は、オフ位置においてバイアスをかけられることを特徴とする請求項
１１記載の照明アセンブリ。
【請求項１３】
前記スイッチ部材は、ユーザによって選択的に係止可能であることを特徴とする請求項
１１記載の照明アセンブリ。
【請求項１４】
前記スイッチ部材が係止位置へ移動されると係合される戻り止めを含むことを特徴とす
る請求項１３記載の照明アセンブリ。
【請求項１５】
低バッテリ電力インジケータを含む請求項５記載の照明アセンブリ。
【請求項１６】
前記ハンドル部の前記受け入れ用空洞の内部と実質的に密着嵌合に置かれるように用い
られる第１エンベロープと、前記照明アセンブリがそこで係止されることを可能にするよ
う構成されている第２エンベロープとを含み、前記アセンブリに取り付け可能な膣鏡アダ
プタを含む請求項１記載の照明アセンブリ。
【請求項１７】
前記膣鏡アダプタは、前記照明アセンブリの主軸に対して少なくとも１つ以上の回転方
向において前記アセンブリを収容するように構成されていることを特徴とする請求項１６
記載の照明アセンブリ。
【請求項１８】
前記膣鏡アダプタの少なくとも一部は、相変化材料を含むことを特徴とする請求項１６
記載の照明アセンブリ。
【請求項１９】
ベース部を含む請求項１記載の照明アセンブリ。
【請求項２０】
バッテリエンクロージャを含み、前記バッテリエンクロージャ及び前記筐体の各々は、
前記ベース部上で平行な関係に配置されていることを特徴とする請求項１９記載の照明ア
センブリ。
【請求項２１】
前記ベース部は実質的に均一な断面を有していて、前記断面は前記アセンブリの残りの
部分の断面より大きく、前記ベース部は、膣鏡の受け入れ用空洞にとりつけられると膣鏡
の受け入れ用空洞から延伸するよう構成されていることを特徴とする請求項１９記載の照
明アセンブリ。
【請求項２２】
前記ベース部は、約０．５から１．５インチの長さであることを特徴とする請求項２１
記載の照明アセンブリ。
【請求項２３】
前記ベース部の少なくとも一部を覆う可撓性さや部材を含む請求項２１記載の照明アセ
ンブリ。
【請求項２４】
前記さや部材は、前記ベース部と実質的に合致して係合することを特徴とする請求項２
３記載の照明アセンブリ。
【請求項２５】
前記ベース部から前記さや部材の選択的な解放を可能にする脆弱な開封帯を含むことを
特徴とする請求項２３記載の照明アセンブリ。
【請求項２６】
前記アセンブリによって生成される熱を放散する手段を含むことを特徴とする請求項１
記載の照明アセンブリ。
【請求項２７】
前記アセンブリは、相変化材料を少なくとも部分的に含むことを特徴とする請求項２６
記載の照明アセンブリ。
【請求項２８】
ヒートシンクを含むことを特徴とする請求項２６記載の照明アセンブリ。
【請求項２９】
前記照明アセンブリから照明を向けるために前記光源に関係して配置された少なくとも
１つのレンズを含むことを特徴とする請求項１記載の照明アセンブリ。
【請求項３０】
前記少なくとも１つのレンズは、前記膣鏡への前記光源の光学的接続を可能にするよう
に構成されていることを特徴とする請求項２９記載の照明アセンブリ。
【請求項３１】
前記照明アセンブリは、診察用照明として独立して使用可能であることを特徴とする請
求項１１記載の照明アセンブリ。
【請求項３２】
前記スイッチ部材は、ユーザによって選択的に係止されることを特徴とする請求項３１
記載の照明アセンブリ。
【請求項３３】
前記スイッチ部材が係止位置へ移動されると係合される戻り止めを含むことを特徴とす
る請求項３２記載の照明アセンブリ。
【請求項３４】
前記膣鏡の受け入れ用空洞内で保持を可能にするよう構成された少なくとも１つの機構
を含むことを特徴とする請求項１記載の照明アセンブリ。
【請求項３５】
前記アセンブリが膣鏡の受け入れ用空洞内へ少なくとも予め定められた距離を嵌入され
ると、前記アセンブリは前記光源に自動的に通電するように構成されていることを特徴と
する請求項１記載の照明アセンブリ。
【請求項３６】
前記アセンブリは、前記受け入れ用空洞の主軸に対して、前記受け入れ用空洞内で前記
照明アセンブリの少なくとも１つ以上の回転方向において前記光源に自動的に通電するよ
うに構成されていることを特徴とする請求項３５記載の照明アセンブリ。
【請求項３７】
前記アセンブリは、第１回転方向及び第２回転方向に配置され、前記回転方向の各々は
、互いに１８０度の間隔をおかれていることを特徴とする請求項３６記載の照明アセンブ
リ。
【請求項３８】
前記光源を補助電源に選択的に相互接続する手段を含む請求項１記載の照明アセンブリ
。
【請求項３９】
前記補助電源は、移動式電源であることを特徴とする請求項３８記載の照明アセンブリ
。
【請求項４０】
前記補助電源は、非移動式電源であることを特徴とする請求項３８記載の照明アセンブ
リ。
【請求項４１】
前記光源によって生成される照明地点の均一性を調整する手段を含む請求項１記載の照
明アセンブリ。
【請求項４２】
前記光源によって生成される照明出力を調整する手段を含む請求項１記載の照明アセン
ブリ。
【請求項４３】
前記照明の出力を調整する手段は、前記アセンブリの上端に配置された少なくとも１つ
の光学的要素を含むことを特徴とする請求項４２記載の照明アセンブリ。
【請求項４４】
前記少なくとも１つの光学的要素は、前記光源からの光を指向させるプリズム部材を含
み、前記アセンブリは、膣鏡の受け入れ用空洞内で軸方向に移動自在であることを特徴と
する請求項４３記載の照明アセンブリ。
【請求項４５】
前記光源によって発射される照明の色を調整する手段を含む請求項１記載の照明アセン
ブリ。
【請求項４６】
前記アセンブリの前記残りの部分の断面は、前記膣鏡の前記受け入れ用空洞の内部と実
質的に密着嵌合を設ける大きさであることを特徴とする請求項２１記載の照明アセンブリ
。
【請求項４７】
膣鏡とともに用いる照明アセンブリであって、
筐体と、
前記アセンブリ筐体に含まれる少なくとも１つのＬＥＤと、
を含み、
前記筐体の少なくとも一部は膣鏡のハンドル部の受け入れ用空洞内に配置されるよう用
いられ、前記少なくとも１つのＬＥＤは接続された集光レンズを有することを特徴とする
照明アセンブリ。
【請求項４８】
前記少なくとも１つのＬＥＤは、少なくとも１つの移動式電源によって電力を供給され
ることを特徴とする請求項４７記載の照明アセンブリ。
【請求項４９】
前記少なくとも１つのＬＥＤは、ＡＣ電源によって電力を供給されることを特徴とする
請求項４７記載の照明アセンブリ。
【請求項５０】
前記少なくとも１つのＬＥＤは、白色ＬＥＤを含むことを特徴とする請求項４７記載の
照明アセンブリ。
【請求項５１】
前記移動式電源として用いられる少なくとも１つの前記バッテリを収容する手段を含む
請求項４８記載の照明アセンブリ。
【請求項５２】
少なくとも１つの前記バッテリを収容する前記手段は、前記筐体内に設けられることを
特徴とする請求項５１載の照明アセンブリ。
【請求項５３】
少なくとも１つの前記バッテリを収容する前記手段は、前記筐体に接続されていること
を特徴とする請求項５１載の照明アセンブリ。
【請求項５４】
少なくとも１つの前記バッテリを収容する前記手段は、一端において前記筐体に接続さ
れた本体を有する電力アダプタを含むことを特徴とする請求項５３記載の照明アセンブリ
。
【請求項５５】
少なくとも１つの前記バッテリを収容する前記手段は、前記筐体に繋索されている電力
アダプタを含むことを特徴とする請求項５３記載の照明アセンブリ。
【請求項５６】
少なくとも１つの前記ＬＥＤを選択的に通電するスイッチを含む請求項４７記載の照明
アセンブリ。
【請求項５７】
前記スイッチ機構は、前記アセンブリ筐体の外部に形成されたその一部を有するスイッ
チ部材によって画定されることを特徴とする請求項５６記載の照明アセンブリ。
【請求項５８】
前記スイッチ部材は、オフ位置においてバイアスをかけられることを特徴とする請求項
５７記載の照明アセンブリ。
【請求項５９】
前記スイッチ部材は、それに対する手動操作によって係止位置に選択的に移動自在であ
ることを特徴とする請求項５８記載の照明アセンブリ。
【請求項６０】
前記部材が係止位置へ移動されると、前記スイッチ部材を係合する戻り止めを含むこと
を特徴とする請求項５９記載の照明アセンブリ。
【請求項６１】
前記アセンブリによって生成される熱を放散する手段を含む請求項４７記載の照明アセ
ンブリ。
【請求項６２】
前記熱を放散する手段は、前記筐体内に配置されるヒートシンクを含むことを特徴とす
る請求項６１記載の照明アセンブリ。
【請求項６３】
前記アセンブリの少なくとも一部は、相変化材料を含むことを特徴とする請求項６１記
載の照明アセンブリ。
【請求項６４】
前記筐体は、ＡＣ電源に繋索されていることを特徴とする請求項４９記載の照明アセン
ブリ。
【請求項６５】
少なくとも１つの前記ＬＥＤは、１ワットで最小２０ルーメン／ワットの出力を有し、
少なくとも１０００時間の最小寿命を有することを特徴とする請求項４７載の照明アセン
ブリ。
【請求項６６】
少なくとも１つの前記バッテリは、再充電可能であることを特徴とする請求項４８記載
の照明アセンブリ。
【請求項６７】
低バッテリ電力インジケータを含む請求項６６記載の照明アセンブリ。
【請求項６８】
前記筐体の底面に配置された複数の充電接点を含む請求項６６記載の照明アセンブリ。
【請求項６９】
前記膣鏡の前記受け入れ用空洞の内部との実質的な密着嵌合を維持するように構成され
た第１エンベロープと、そこで前記筐体を収容するように構成された第２エンベロープと
を含み、前記筐体に選択的に接続された膣鏡アダプタを含む請求項４７記載の照明アセン
ブリ。
【請求項７０】
前記膣鏡アダプタの前記第２エンベロープは、前記筐体が、前記照明アセンブリの主軸
に対して少なくとも１つ以上の回転方向に嵌合されることを可能にするように構成されて
いることを特徴とする請求項６９記載の照明アセンブリ。
【請求項７１】
前記膣鏡アダプタは、前記第１回転方向及び第２回転方向において前記筐体を収容し、
前記第１及び第２回転方向の各々は互いに１８０度の間隔をおかれていることを特徴とす
る請求項７０記載の照明アセンブリ。
【請求項７２】
ベース部を含む請求項４７記載の照明アセンブリ。
【請求項７３】
バッテリエンクロージャを含み、前記バッテリエンクロージャ及び前記筐体の各々は前
記ベース部上でかつ前記ベース部の同じ側で平行な関係に配置されていることを特徴とす
る請求項７２記載の照明アセンブリ。
【請求項７４】
前記ベース部は実質的に均一な断面を有していて、前記断面は前記アセンブリ筐体の残
りの部分の断面より大きくかつ、前記ベース部は、前記ベース部がそこに取り付けられる
と前記受け入れ用空洞から延伸するよう構成されていることを特徴とする請求項７２記載
の照明アセンブリ。
【請求項７５】
前記ベース部は、約０．５から１．５インチの長さであることを特徴とする請求項７４
記載の照明アセンブリ。
【請求項７６】
前記ベース部の少なくとも一部を覆う可撓性さや部材を含むことを特徴とする請求項７
４記載の照明アセンブリ。
【請求項７７】
前記さや部材は、前記ベース部と封止係合可能であることを特徴とする請求項７６記載
の照明アセンブリ。
【請求項７８】
前記ベース部からの前記さや部材の選択的な解放を可能にする脆弱な開封帯を含む請求
項７６記載の照明アセンブリ。
【請求項７９】
前記照明アセンブリからの照明を指向させるために前記光源に関連して配置された少な
くとも１つのレンズを含むことを特徴とする請求項４７記載の照明アセンブリ。
【請求項８０】
少なくとも１つの前記レンズは、前記膣鏡への前記光源の光学的接続を可能にするよう
構成されていることを特徴とする請求項７９記載の照明アセンブリ。
【請求項８１】
前記照明アセンブリは、診察用照明として独立して用いられることを特徴とする請求項
５７記載の照明アセンブリ。
【請求項８２】
前記スイッチ部材は、それに対する手動操作によって係止位置へ選択的に移動自在であ
ることを特徴とする請求項８１記載の照明アセンブリ。
【請求項８３】
前記部材が係止位置へ移動されると前記スイッチ部材を係合する戻り止めを含むことを
特徴とする請求項８２記載の照明アセンブリ。
【請求項８４】
受け入れ用空洞内で前記照明アセンブリの保持を可能にするように構成された少なくと
も１つの機構を含むことを特徴とする請求項４７記載の照明アセンブリ。
【請求項８５】
前記筐体が前記膣鏡の受け入れ用空洞内に嵌入されると、前記照明アセンブリは、前記
光源に自動的に通電することを特徴とする請求項４７記載の照明アセンブリ。
【請求項８６】
前記照明アセンブリは、前記照明アセンブリの主軸に対して前記照明アセンブリの少な
くとも１つ以上の回転方向において前記光源に自動的に通電することを特徴とする請求項
８５記載の照明アセンブリ。
【請求項８７】
前記少なくとも１つのＬＥＤを補助電源に選択的に相互接続する手段を含む請求項４８
記載の照明アセンブリ。
【請求項８８】
前記補助電源は、移動式電源を含むことを特徴とする請求項８７記載の照明アセンブリ
。
【請求項８９】
前記補助電源は、非移動式電源を含むことを特徴とする請求項８７記載の照明アセンブ
リ。
【請求項９０】
少なくとも１つの前記ＬＥＤによって生成される地点の大きさを調整する手段を含む請
求項４７記載の照明アセンブリ。
【請求項９１】
少なくとも１つの前記ＬＥＤによって生成される照明の出力を調整する手段を含む請求
項４７記載の照明アセンブリ。
【請求項９２】
前記照明出力調整手段は、前記筐体の上端に配置される少なくとも１つの光学的要素を
含むことを特徴とする請求項９１記載の照明アセンブリ。
【請求項９３】
少なくとも１つの前記光学的要素は、少なくとも１つの前記ＬＥＤからの光を指向させ
るプリズム部材を含み、前記筐体は、膣鏡の受け入れ用空洞内で移動自在であることを特
徴とする請求項９２記載の照明アセンブリ。
【請求項９４】
少なくとも１つの前記ＬＥＤによって発射される照明の色を調整する手段を含む請求項
４７記載の照明アセンブリ。
【請求項９５】
前記筐体が前記受け入れ用空洞内で少なくとも予め定められた距離を嵌入されると、前
記照明アセンブリは前記光源に自動的に通電することを特徴とする請求項４７記載の照明
アセンブリ。
【国際調査報告】
2009515561.tif 000039